(57)【要約】  本発明の実施例は、Ｄ２Ｄ通信方法及び端末デバイスを提供し、当該方法は、第１端末デバイスが第１アクセス情報を確定することと、第２端末デバイスが前記第１アクセス情報を受信した場合に前記第１アクセス情報に基づいて前記第２端末デバイスの第２セルにアクセスするための第２アクセス情報を確定するように、前記第１端末デバイスが前記第１アクセス情報を送信することとを含み、前記第１アクセス情報は、第１セルにアクセスするためのアクセス情報である。このように、異なる端末デバイスの間においてＤ２Ｄ通信方式を利用しセルにアクセスするためのアクセス情報を取得して、端末デバイスがネットワークデバイスから当該アクセス情報を取得する時に発生した遅延を低減させることができる。
2019528026.tif 000002
【特許請求の範囲】
【請求項１】
デバイスツーデバイスＤ２Ｄ通信方法であって、
第１端末デバイスが第１セルにアクセスするためのアクセス情報である第１アクセス情報を確定することと、
第２端末デバイスが前記第１アクセス情報を受信した場合に前記第１アクセス情報に基づいて前記第２端末デバイスの第２セルにアクセスするための第２アクセス情報を確定するように、前記第１端末デバイスが前記第１アクセス情報を送信することとを含む
ことを特徴とするデバイスツーデバイスＤ２Ｄ通信方法。
【請求項２】
前記第１アクセス情報は、前記第１セルにアクセスするための第１システム情報を含み、前記第２アクセス情報は、前記第２端末デバイスが前記第２セルにアクセスするための第２システム情報を含み、及び／又は、
前記第１アクセス情報は、前記第１端末デバイスが前記第１セルにアクセスするための第１タイミングアドバンスＴＡを含み、前記第２アクセス情報は、前記第２端末デバイスが前記第２セルにアクセスするための第２ＴＡを含む
ことを特徴とする請求項１に記載のデバイスツーデバイスＤ２Ｄ通信方法。
【請求項３】
前記第１端末デバイスが条件情報を送信することを含み、
前記条件情報は、前記第２端末デバイスが前記条件情報に示す条件を満たしている場合に前記第１アクセス情報に基づいて前記第２アクセス情報を確定するように指示するために用いられる
ことを特徴とする請求項１又は２に記載のデバイスツーデバイスＤ２Ｄ通信方法。
【請求項４】
前記条件情報は、位置条件情報、時間条件情報、速度条件情報、及び前記第１セルのセル識別子の情報のうちの少なくとも１つを含む
ことを特徴とする請求項３に記載のデバイスツーデバイスＤ２Ｄ通信方法。
【請求項５】
前記時間条件情報は、前記第１端末デバイスが他のデバイスから前記第１アクセス情報を受信した時刻及び前記第１アクセス情報の有効期間を含む
ことを特徴とする請求項４に記載のデバイスツーデバイスＤ２Ｄ通信方法。
【請求項６】
前記第１アクセス情報は、第１ＴＡを含み、前記位置条件情報は、前記第１端末デバイスが他のデバイスから前記第１ＴＡを受信した時に前記第１端末デバイスの位置及び前記第１ＴＡの有効使用距離を含む
ことを特徴とする請求項４又は５に記載のデバイスツーデバイスＤ２Ｄ通信方法。
【請求項７】
第１端末デバイスが第１アクセス情報を確定することは、
前記第１端末デバイスは、前記第１端末デバイスの移動速度に基づいて前記第１アクセス情報を確定することを含む
ことを特徴とする請求項４〜６のいずれか１項に記載のデバイスツーデバイスＤ２Ｄ通信方法。
【請求項８】
前記第１端末デバイスが前記第１アクセス情報を送信することは、
前記第１端末デバイスの移動速度が速度閾値の以下である場合、前記第１端末デバイスが第１システム情報、第１ＴＡ及び前記第１端末デバイスの移動速度を送信すること、又は、
前記第１端末デバイスの移動速度が前記速度閾値より大きい場合、前記第１端末デバイスが第１システム情報及び前記第１端末デバイスの移動速度を送信することを含む
ことを特徴とする請求項７に記載のデバイスツーデバイスＤ２Ｄ通信方法。
【請求項９】
前記第１端末デバイスが前記第１アクセス情報を送信する前に、前記方法は、さらに、
前記第１端末デバイスが、前記ネットワークデバイスにより送信された指示情報を受信することを含み、前記指示情報は、前記第１端末デバイスが前記アクセス情報を送信するように指示するために用いられ、
前記第１端末デバイスが前記第１アクセス情報を送信することは、
前記第１端末デバイスが、前記指示情報によって前記第１アクセス情報を送信することを含む
ことを特徴とする請求項１〜８のいずれか１項に記載のデバイスツーデバイスＤ２Ｄ通信方法。
【請求項１０】
前記第１端末デバイスが前記第１アクセス情報を送信することは、
前記第２端末デバイスが複数の第１アクセス情報を受信した場合に前記複数の第１アクセス情報に基づいて前記第２端末デバイスの前記第２セルにアクセスするための前記第２アクセス情報を確定するように、前記第１端末デバイスが前記複数の第１アクセス情報を送信することを含み、
前記複数の第１アクセス情報が複数の第１セルに１対１に対応しており、前記複数の第１アクセス情報のうちの各第１アクセス情報は、対応する第１セルにアクセスするために用いられる
ことを特徴とする請求項１〜９のいずれか１項に記載のデバイスツーデバイスＤ２Ｄ通信方法。
【請求項１１】
前記第１端末デバイスが前記第１アクセス情報を送信することは、
前記第１端末デバイスが前記第１アクセス情報をブロードキャストすることを含む
ことを特徴とする請求項１〜１０のいずれか１項に記載のデバイスツーデバイスＤ２Ｄ通信方法。
【請求項１２】
デバイスツーデバイスＤ２Ｄ通信方法であって、
第２端末デバイスが第１端末デバイスにより送信された第１アクセス情報を受信することと、
前記第２端末デバイスが、前記第１アクセス情報に基づいて前記第２端末デバイスの第２セルにアクセスするための第２アクセス情報を確定することとを含み、
前記第１アクセス情報は、第１セルにアクセスするためのアクセス情報である
ことを特徴とするデバイスツーデバイスＤ２Ｄ通信方法。
【請求項１３】
前記第１アクセス情報は、前記第１セルにアクセスするための第１システム情報を含み、前記第２アクセス情報は、前記第２端末デバイスが前記第２セルにアクセスするための第２システム情報を含み、及び／又は、
前記第１アクセス情報は、前記第１端末デバイスが前記第１セルにアクセスするための第１タイミングアドバンスＴＡを含み、前記第２アクセス情報は、前記第２端末デバイスが前記第２セルにアクセスするための第２ＴＡを含む
ことを特徴とする請求項１２に記載のデバイスツーデバイスＤ２Ｄ通信方法。
【請求項１４】
前記第２端末デバイスが前記第１アクセス情報に基づいて前記第２セルにアクセスするための第２アクセス情報を確定する前に、前記方法は、さらに、
前記第２端末デバイスが条件情報を受信することを含み、
前記第２端末デバイスが、前記第１アクセス情報に基づいて前記第２端末デバイスの第２セルにアクセスするための第２アクセス情報を確定することは、
前記第２端末デバイスは、前記条件情報に示す条件を満たしている場合、前記第１アクセス情報に基づいて前記第２アクセス情報を確定することを含む
ことを特徴とする請求項１２又は１３に記載のデバイスツーデバイスＤ２Ｄ通信方法。
【請求項１５】
前記条件情報は、位置条件情報、時間条件情報、速度条件情報、及び前記第１セルのセル識別子の情報のうちの少なくとも１つを含む
ことを特徴とする請求項１４に記載のデバイスツーデバイスＤ２Ｄ通信方法。
【請求項１６】
前記時間条件情報は、前記第１端末デバイスが他のデバイスから前記第１アクセス情報を受信した時刻及び前記第１アクセス情報の有効期間を含む
ことを特徴とする請求項１５に記載のデバイスツーデバイスＤ２Ｄ通信方法。
【請求項１７】
前記第１アクセス情報は第１ＴＡを含み、前記位置条件情報は、前記第１端末デバイスが他のデバイスから前記第１ＴＡを受信した時に前記第１端末デバイスの位置及び前記第１ＴＡの有効使用距離を含む
ことを特徴とする請求項１５又は１６に記載のデバイスツーデバイスＤ２Ｄ通信方法。
【請求項１８】
前記条件情報は前記第１セルのセル識別子の情報を含み、
前記第２端末デバイスが、前記第１アクセス情報に基づいて前記第２端末デバイスの第２セルにアクセスするための第２アクセス情報を確定することは、
前記第２端末デバイスのアクセスする前記第２セルのセル識別子が前記第１セルのセル識別子と同じである場合、前記第２端末デバイスが前記第１アクセス情報に基づいて前記第２セルにアクセスするための前記第２アクセス情報を確定することを含む
ことを特徴とする請求項１５〜１７のいずれか１項に記載のデバイスツーデバイスＤ２Ｄ通信方法。
【請求項１９】
前記第１アクセス情報は第１ＴＡを含み、前記速度条件情報は、前記第１端末デバイスの移動速度及び速度閾値を含み、
前記第２端末デバイスが、前記第１アクセス情報に基づいて前記第２端末デバイスの第２セルにアクセスするための第２アクセス情報を確定することは、
前記第１端末デバイスの移動速度が前記速度閾値の以下である場合、前記第２端末デバイスが前記第１ＴＡに基づいて前記第２セルにアクセスするための第２ＴＡを確定することを含む
ことを特徴とする請求項１５〜１８のいずれか１項に記載のデバイスツーデバイスＤ２Ｄ通信方法。
【請求項２０】
前記第２端末デバイスが条件情報を受信することは、
前記第２端末デバイスが前記第１端末デバイスにより送信された前記条件情報を受信すること、又は、
前記第２端末デバイスがネットワークデバイスにより送信された前記条件情報を受信することを含む
ことを特徴とする請求項１５〜１９のいずれか１項に記載のデバイスツーデバイスＤ２Ｄ通信方法。
【請求項２１】
前記第２端末デバイスが第１端末デバイスにより送信された第１アクセス情報を受信することは、
第２端末デバイスが複数の第１端末デバイスによりそれぞれ送信された第１アクセス情報を受信することを含み、
前記第２端末デバイスが、前記第１アクセス情報に基づいて前記第２端末デバイスの第２セルにアクセスするための第２アクセス情報を確定することは、
前記第２端末デバイスが、前記複数の第１端末デバイスのうちの各第１端末デバイスの速度情報又は位置情報に基づいて、前記複数の第１端末デバイスからターゲット端末デバイスを確定することと、
前記第２端末デバイスが、前記ターゲット端末デバイスの第１アクセス情報に基づいて前記第２アクセス情報を確定することとを含む
ことを特徴とする請求項１２〜２０のいずれか１項に記載のデバイスツーデバイスＤ２Ｄ通信方法。
【請求項２２】
前記第２端末デバイスが前記複数の第１端末デバイスのうちの各第１端末デバイスの速度情報又は位置情報に基づいて、前記複数の第１端末デバイスからターゲット端末デバイスを確定する前に、前記方法は、さらに、
前記第２端末デバイスは、前記第２端末デバイスが前記複数の第１端末デバイスのうちの各第１端末デバイスの条件情報に示す条件を満たしていることを確定することを含み、
前記第２端末デバイスが、前記複数の第１端末デバイスのうちの各第１端末デバイスの速度情報又は位置情報に基づいて、前記複数の第１端末デバイスからターゲット端末デバイスを確定することは、
前記第２端末デバイスが、前記複数の第１端末デバイスのうちの移動速度の一番遅い第１端末デバイスを前記ターゲット端末デバイスとして確定すること、又は、前記複数の第１端末デバイスのうちの前記第２端末デバイスに一番近い第１端末デバイスを前記ターゲット端末デバイスとして確定することを含む
ことを特徴とする請求項２１に記載のデバイスツーデバイスＤ２Ｄ通信方法。
【請求項２３】
前記第２端末デバイスが第１端末デバイスにより送信された第１アクセス情報を受信することは、
第２端末デバイスが第１端末デバイスにより送信された複数の第１アクセス情報を受信することを含み、
前記第２端末デバイスが、前記第１アクセス情報に基づいて前記第２端末デバイスの第２セルにアクセスするための第２アクセス情報を確定することは、
前記第２端末デバイスが、前記複数の第１アクセス情報に基づいて前記第２端末デバイスの前記第２セルにアクセスするための前記第２アクセス情報を確定することを含む
ことを特徴とする請求項１２〜２２のいずれか１項に記載のデバイスツーデバイスＤ２Ｄ通信方法。
【請求項２４】
前記第２端末デバイスが前記第２アクセス情報を送信することをさらに含む
ことを特徴とする請求項１２〜２３のいずれか１項に記載のデバイスツーデバイスＤ２Ｄ通信方法。
【請求項２５】
前記第２端末デバイスが前記第２アクセス情報を送信することは、
前記第２端末デバイスが前記第２アクセス情報をブロードキャストすることを含む
ことを特徴とする請求項２４に記載のデバイスツーデバイスＤ２Ｄ通信方法。
【請求項２６】
端末デバイスであって、
前記端末デバイスは、第１端末デバイスであり、確定モジュール、送信モジュールを含み、
前記確定モジュールは、第１アクセス情報を確定するように構成され、
前記送信モジュールは、第２端末デバイスが前記第１アクセス情報を受信した場合に前記第１アクセス情報に基づいて前記第２端末デバイスの第２セルにアクセスするための第２アクセス情報を確定するように、前記確定モジュールにより確定された前記第１アクセス情報を送信するように構成され、
前記第１アクセス情報は、第１セルにアクセスするためのアクセス情報である
ことを特徴とする端末デバイス。
【請求項２７】
前記第１アクセス情報は、前記第１セルにアクセスするための第１システム情報を含み、前記第２アクセス情報は、前記第２端末デバイスが前記第２セルにアクセスするための第２システム情報を含み、及び／又は、
前記第１アクセス情報は、前記第１端末デバイスが前記第１セルにアクセスするための第１タイミングアドバンスＴＡを含み、前記第２アクセス情報は、前記第２端末デバイスが前記第２セルにアクセスするための第２ＴＡを含む
ことを特徴とする請求項２６に記載の端末デバイス。
【請求項２８】
前記送信モジュールは、さらに、条件情報を送信するように構成され、
前記条件情報は、前記第２端末デバイスが前記条件情報に示す条件を満たしている場合に前記第１アクセス情報に基づいて前記第２アクセス情報を確定するように指示するために用いられる
ことを特徴とする請求項２６又は２７に記載の端末デバイス。
【請求項２９】
前記条件情報は、位置条件情報、時間条件情報、速度条件情報、及び前記第１セルのセル識別子の情報のうちの少なくとも１つを含む
ことを特徴とする請求項２８に記載の端末デバイス。
【請求項３０】
前記時間条件情報は、前記第１端末デバイスが他のデバイスから前記第１アクセス情報を受信した時刻及び前記第１アクセス情報の有効期間を含む
ことを特徴とする請求項２９に記載の端末デバイス。
【請求項３１】
前記第１アクセス情報は第１ＴＡを含み、
前記位置条件情報は、前記第１端末デバイスが他のデバイスから前記第１ＴＡを受信した時に前記第１端末デバイスの位置及び前記第１ＴＡの有効使用距離を含む
ことを特徴とする請求項２９又は３０のいずれか１項に記載の端末デバイス。
【請求項３２】
前記確定モジュールは、具体的に、
前記第１端末デバイスの移動速度に基づいて前記第１アクセス情報を確定するように構成される
ことを特徴とする請求項２９〜３１のいずれか１項に記載の端末デバイス。
【請求項３３】
前記送信モジュールは、具体的に、
前記第１端末デバイスの移動速度が速度閾値の以下である場合、前記第１端末デバイスが第１システム情報、第１ＴＡ及び前記第１端末デバイスの移動速度を送信し、又は、
前記第１端末デバイスの移動速度が前記速度閾値より大きい場合、前記第１端末デバイスが第１システム情報及び前記第１端末デバイスの移動速度を送信するように構成される
ことを特徴とする請求項３２に記載の端末デバイス。
【請求項３４】
前記端末デバイスは、さらに、受信モジュールを含み、
前記送信モジュールが前記第１アクセス情報を送信する前に、
前記受信モジュールは、前記ネットワークデバイスにより指示情報を受信するように構成され、前記指示情報は、前記第１端末デバイスが前記アクセス情報を送信するように指示するために用いられ、
前記送信モジュールは、具体的に、前記指示情報に基づいて、前記第１アクセス情報を送信するように構成される
ことを特徴とする請求項２６〜３３のいずれか１項に記載の端末デバイス。
【請求項３５】
前記送信モジュールは、さらに、前記第２端末デバイスが複数の第１アクセス情報を受信した場合、前記複数の第１アクセス情報に基づいて前記第２端末デバイスの前記第２セルにアクセスするための前記第２アクセス情報を確定するように、前記複数の第１アクセス情報を送信するように構成され、
前記複数の第１アクセス情報が複数の第１セルに１対１に対応しており、前記複数の第１アクセス情報のうちの各第１アクセス情報は、対応する第１セルにアクセスするために用いられる
ことを特徴とする請求項２６〜３４のいずれか１項に記載の端末デバイス。
【請求項３６】
前記送信モジュールは、具体的に、
前記第１アクセス情報をブロードキャストするように構成される
ことを特徴とする請求項２６〜３５のいずれか１項に記載の端末デバイス。
【請求項３７】
端末デバイスであって、
前記端末デバイスは、第２端末デバイスであり、受信モジュール及び確定モジュールを含み、
前記受信モジュールは、第１端末デバイスにより送信された第１アクセス情報を受信するように構成され、
前記確定モジュールは、前記受信モジュールにより確定された前記第１アクセス情報に基づいて、前記第２端末デバイスの第２セルにアクセスするための第２アクセス情報を確定するように構成され、
前記第１アクセス情報は、第１セルにアクセスするためのアクセス情報である
ことを特徴とする端末デバイス。
【請求項３８】
前記第１アクセス情報は、前記第１セルにアクセスするための第１システム情報を含み、前記第２アクセス情報は、前記第２端末デバイスが前記第２セルにアクセスするための第２システム情報を含み、及び／又は、
前記第１アクセス情報は、前記第１端末デバイスが前記第１セルにアクセスするための第１タイミングアドバンスＴＡを含み、前記第２アクセス情報は、前記第２端末デバイスが前記第２セルにアクセスするための第２ＴＡを含む
ことを特徴とする請求項３７に記載の端末デバイス。
【請求項３９】
前記確定モジュールが前記第１アクセス情報に基づいて前記第２セルにアクセスするための第２アクセス情報を確定する前に、前記受信モジュールは、さらに、条件情報を受信するように構成され、
前記確定モジュールは、具体的に、前記第２端末デバイスが前記条件情報に示す条件を満たしている場合、前記第１アクセス情報に基づいて前記第２アクセス情報を確定するように構成される
ことを特徴とする請求項３７又は３８に記載の端末デバイス。
【請求項４０】
前記条件情報は、位置条件情報、時間条件情報、速度条件情報、及び前記第１セルのセル識別子の情報のうちの少なくとも１つを含む
ことを特徴とする請求項３９に記載の端末デバイス。
【請求項４１】
前記時間条件情報は、前記第１端末デバイスが他のデバイスから前記第１アクセス情報を受信した時刻及び前記第１アクセス情報の有効期間を含む
ことを特徴とする請求項４０に記載の端末デバイス。
【請求項４２】
前記第１アクセス情報は第１ＴＡを含み、前記位置条件情報は、前記第１端末デバイスが他のデバイスから前記第１ＴＡを受信した時に前記第１端末デバイスの位置及び前記第１ＴＡの有効使用距離を含む
ことを特徴とする請求項４０又は４１に記載の端末デバイス。
【請求項４３】
前記条件情報は前記第１セルのセル識別子の情報を含み、
前記確定モジュールは、具体的に、
前記第２端末デバイスのアクセスする前記第２セルの識別子が前記第１セルのセル識別子と同じである場合、前記第１アクセス情報に基づいて前記第２セルにアクセスするための前記第２アクセス情報を確定するように構成される
ことを特徴とする請求項４０〜４２のいずれか１項に記載の端末デバイス。
【請求項４４】
前記第１アクセス情報は第１ＴＡを含み、前記速度条件情報は、前記第１端末デバイスの移動速度及び速度閾値を含み、
前記確定モジュールは、具体的に、
前記第１端末デバイスの移動速度が前記速度閾値の以下である場合、前記第１ＴＡに基づいて前記第２セルにアクセスするための第２ＴＡを確定するように構成される
ことを特徴とする請求項４０〜４３のいずれか１項に記載の端末デバイス。
【請求項４５】
前記受信モジュールは、具体的に、
前記第１端末デバイスにより送信された前記条件情報を受信し、又は、
ネットワークデバイスにより送信された前記条件情報を受信するように構成される
ことを特徴とする請求項４０〜４４のいずれか１項に記載の端末デバイス。
【請求項４６】
前記受信モジュールは、具体的に、
複数の第１端末デバイスによりそれぞれ送信された第１アクセス情報を受信するように構成され、
前記確定モジュールは、具体的に、
前記複数の第１端末デバイスのうちの各第１端末デバイスの速度情報又は位置情報に基づいて、前記複数の第１端末デバイスからターゲット端末デバイスを確定し、前記ターゲット端末デバイスの第１アクセス情報に基づいて前記第２アクセス情報を確定するように構成される
ことを特徴とする請求項４０〜４５のいずれか１項に記載の端末デバイス。
【請求項４７】
前記確定モジュールが前記複数の第１端末デバイスのうちの各第１端末デバイスの速度情報又は位置情報に基づいて、前記複数の第１端末デバイスからターゲット端末デバイスを確定する前に、
前記確定モジュールは、具体的に、
前記第２端末デバイスが前記複数の第１端末デバイスのうちの各第１端末デバイスの条件情報に示す条件を満たしていることを確定し、前記複数の第１端末デバイスのうちの移動速度の一番遅い第１端末デバイスを前記ターゲット端末デバイスとして確定し、又は、前記複数の第１端末デバイスのうちの前記第２端末デバイスに一番近い第１端末デバイスを前記ターゲット端末デバイスとして確定するように構成される
ことを特徴とする請求項４６に記載の端末デバイス。
【請求項４８】
前記受信モジュールは、さらに、
第１端末デバイスにより送信された複数の第１アクセス情報を受信するように構成され、
前記確定モジュールは、具体的に、
前記複数の第１アクセス情報に基づいて、前記第２端末デバイスの前記第２セルにアクセスするための前記第２アクセス情報を確定するように構成される
ことを特徴とする請求項３７〜４７のいずれか１項に記載の端末デバイス。
【請求項４９】
送信モジュールをさらに含み、
前記送信モジュールは、前記第２アクセス情報を送信するように構成される
ことを特徴とする請求項３７〜４８のいずれか１項に記載の端末デバイス。
【請求項５０】
前記送信モジュールは、具体的に、前記第２アクセス情報をブロードキャストするように構成される
ことを特徴とする請求項４９に記載の端末デバイス。
【発明の詳細な説明】
【技術分野】
【０００１】
本発明の実施例は、無線通信分野に関し、具体的に、デバイスツーデバイス（Ｄｅｖｉｃｅ  ｔｏ  Ｄｅｖｉｃｅ）通信方法及び端末デバイスに関する。
【背景技術】
【０００２】
従来の端末デバイスは、システムにアクセスしている過程において、システムにアクセスするためのアクセス情報を取得する必要がある。例えば、端末デバイスは、ネットワークデバイスからのブロードキャストメッセージからシステム情報を取得し、ネットワークデバイスの所在のセルラシステムの基本情報、例えばキャリア帯域幅などを取る必要がある。しかしながら、システムが１つの固定周期でシステム情報をブロードキャストしているため、端末がシステム情報を取得する時に一定の遅延が発生する。また、例えば、端末デバイスは、システムへ正式アクセスする場合、タイミングアドバンス（ＴＡ：Ｔｉｍｉｎｇ  Ａｄｖａｎｃｅ）をさらに取得する必要があり、当該ＴＡ値が端末デバイスとネットワークデバイスとの間の距離を示し、端末は、ＴＡ値を前倒して信号を送信することで、伝送遅延により異なる端末デバイスの基地局に到着する時間が異なることを回避することができる。ＴＡ値の取得について、端末デバイスがネットワークデバイスに１つの既知のシーケンスを送信し、ネットワークデバイスがこの既知のシーケンスに基づいてＴＡ値を算出してから、端末に当該ＴＡ値の大きさを通知する必要がある。そして、端末がＴＡ情報を取得する過程においても一定の遅延が発生する。セルシステムにアクセスするためのシステム情報及びＴＡ値のようなアクセス情報の取得は、端末のシステムへの初期アクセスの遅延の一部となる。
【発明の概要】
【発明が解決しようとする課題】
【０００３】
本発明の実施例は、端末デバイスがネットワークデバイスからシステムアクセス用情報を取得する時に発生した遅延を低減させることができるデバイスツーデバイスＤ２Ｄ通信方法及び端末デバイスを提供する。
【課題を解決するための手段】
【０００４】
第１形態は、Ｄ２Ｄ通信方法を提供し、第１端末デバイスが第１アクセス情報を確定することと、第２端末デバイスが前記第１アクセス情報を受信した場合に前記第１アクセス情報に基づいて前記第２端末デバイスの第２セルにアクセスするための第２アクセス情報を確定するように、前記第１端末デバイスが前記第１アクセス情報を送信することとを含み、前記第１アクセス情報は、第１セルにアクセスするためのアクセス情報である。
【０００５】
そして、本発明の実施例において、異なる端末デバイスの間においてＤ２Ｄ通信方式を利用しセルにアクセスするためのアクセス情報を取得して、端末デバイスがネットワークデバイスからセルにアクセスするための当該アクセス情報を取得する時に発生した遅延を低減させることができる。
【０００６】
前記第１アクセス情報は、第１セルにアクセスするための第１システム情報を含み、前記第２アクセス情報は、前記第２端末デバイスが前記第２セルにアクセスするための第２システム情報を含み、及び／又は、
前記第１アクセス情報は、前記第１端末デバイスが前記第１セルにアクセスするための第１タイミングアドバンスＴＡを含み、前記第２アクセス情報は、前記第２端末デバイスが前記第２セルにアクセスするための第２ＴＡを含む。
【０００７】
他の実施例として、前記方法は、さらに、前記第１端末デバイスが条件情報を送信することを含み、前記条件情報は、前記第２端末デバイスが前記条件情報に示す条件を満たしている場合に前記第１アクセス情報に基づいて前記第２アクセス情報を確定するように指示するために用いられる。
【０００８】
このように、端末デバイスがセルにアクセスするためのアクセス情報を取得する効率を向上させ、当該アクセス情報を利用しセルにアクセスする成功率を向上させることができる。
【０００９】
他の実施例として、前記条件情報は、位置条件情報、時間条件情報、速度条件情報、及び前記第１セルのセル識別子の情報のうちの少なくとも１つを含む。
【００１０】
他の実施例として、前記時間条件情報は、前記第１端末デバイスが他のデバイスから前記第１アクセス情報を受信した時刻及び前記第１アクセス情報の有効期間を含む。
【００１１】
ここで、当該有効期間は、第１端末デバイスの当該第１アクセス情報の受信から第２端末デバイスの当該第１アクセス情報の受信までの時間範囲であっても良いし、当該第１アクセス情報の終了時刻であっても良く、ここでは限定しない。
【００１２】
他の実施例として、前記第１アクセス情報は第１ＴＡを含み、前記位置条件情報は、前記第１端末デバイスが他のデバイスから前記第１ＴＡを受信した時に前記第１端末デバイスの位置及び前記第１ＴＡの有効使用距離を含む。
【００１３】
ここで、当該有効使用距離は、第２端末デバイスと第１端末デバイスとの間の最大距離を示してもよいし、当該第１ＴＡを使用する可能な端末デバイスの経度座標範囲、緯度座標範囲、高さ座標範囲のうちの少なくとも１つを示してもよく、ここでは限定しない。
【００１４】
他の実施例として、前記第１端末デバイスが第１アクセス情報を確定することは、前記第１端末デバイスが前記第１端末デバイスの移動速度に基づいて前記第１アクセス情報を確定することを含む。
【００１５】
他の実施例として、前記第１端末デバイスが前記第１アクセス情報を送信することは、前記第１端末デバイスの移動速度が速度閾値の以下である場合、前記第１端末デバイスが第１システム情報、第１ＴＡ及び前記第１端末デバイスの移動速度を送信すること、又は、前記第１端末デバイスの移動速度が前記速度閾値より大きい場合、前記第１端末デバイスが第１システム情報及び前記第１端末デバイスの移動速度を送信することを含む。
【００１６】
他の実施例として、前記第１端末デバイスが前記第１アクセス情報を送信する前に、前記方法は、さらに、前記第１端末デバイスが前記ネットワークデバイスにより送信された指示情報を受信することを含み、前記指示情報は、前記第１端末デバイスが前記アクセス情報を送信するように指示するために用いられ、
前記第１端末デバイスが前記第１アクセス情報を送信することは、前記第１端末デバイスが、前記指示情報に基づいて前記第１アクセス情報を送信することを含む。
【００１７】
他の実施例として、前記第１端末デバイスが前記第１アクセス情報を送信することは、前記第２端末デバイスが複数の第１アクセス情報を受信した場合に前記複数の第１アクセス情報に基づいて前記第２端末デバイスの前記第２セルにアクセスするための前記第２アクセス情報を確定するように、前記第１端末デバイスが前記複数の第１アクセス情報を送信することを含み、前記複数の第１アクセス情報が複数の第１セルに１対１に対応しており、前記複数の第１アクセス情報のうちの各第１アクセス情報は、対応する第１セルにアクセスするために用いられる。
【００１８】
選択可能で、第１端末デバイスは、複数の第１アクセス情報にそれぞれ対応する複数のセルのセル識別子、これらのセルにアクセスして使用するＴＡ値等の情報を送信してもよい。
【００１９】
選択可能で、第１アクセス情報が第１システム情報を含む場合、複数の第１アクセス情報内の複数の第１システム情報において一部の情報が同じであり、一部が相異する可能性がある。この時、第１端末デバイスは、現在アクセスしている第１セルの第１システム情報とともに、他の第１システム情報内の相異する情報を送信し、さらに、他の第１システム情報にどの部分が第１端末デバイスの現在アクセスしている第１セルの第１システム情報と同じ又は相異することを示してもよい。
【００２０】
選択可能で、第１端末デバイスは、複数の第１アクセス情報とともに時間差情報を送信してもよく、当該時間差情報は、第１端末デバイスが異なるセルから信号を取得した時刻の差分である。
【００２１】
例えば、当該時間差は、第１端末デバイスにより異なるセルが検定されたプライマリ同期信号ＰＳＳの間の時間差であっても良いし、又は補助同期信号ＳＳＳの間の時間差であっても良い。
【００２２】
他の実施例として、前記第１端末デバイスが前記第１アクセス情報を送信することは、前記第１端末デバイスが前記第１アクセス情報をブロードキャストすることを含む。
【００２３】
第２形態は、端末デバイスを提供し、当該端末デバイスは、上記の第１形態及び各実現方式のＤ２Ｄ通信方法において第１端末デバイスにより実行される各過程を実行するように構成される。当該端末デバイスは、確定モジュール及び送信モジュールを含む。前記確定モジュールは、第１アクセス情報を確定するように構成され、前記送信モジュールは、第２端末デバイスが前記第１アクセス情報を受信した場合に前記第１アクセス情報に基づいて前記第２端末デバイスの第２セルにアクセスするための第２アクセス情報を確定するように、前記確定モジュールにより確定された前記第１アクセス情報を送信するように構成され、前記第１アクセス情報は、第１セルにアクセスするためのアクセス情報である。
【００２４】
第３形態は、端末デバイスを提供し、当該端末デバイスは、上記第１形態及び各実現方式のＤ２Ｄ通信方法において第１端末デバイスにより実現される各過程を実現するように構成される。当該端末デバイスはプロセッサー及び送受信機を含む。前記プロセッサーは、第１アクセス情報を確定するように構成され、前記送受信機は、第２端末デバイスが前記第１アクセス情報を受信した場合に前記第１アクセス情報に基づいて前記第２端末デバイスの第２セルにアクセスするための第２アクセス情報を確定するように、前記確定モジュールにより確定された前記第１アクセス情報を送信するように構成され、前記第１アクセス情報は、第１セルにアクセスするためのアクセス情報である。
【００２５】
第４形態は、デバイスツーデバイスＤ２Ｄ通信方法を提供し、第２端末デバイスが第１端末デバイスにより送信された第１アクセス情報を受信することと、前記第２端末デバイスが、前記第１アクセス情報に基づいて前記第２端末デバイスの第２セルにアクセスするための第２アクセス情報を確定することとを含み、前記第１アクセス情報は、前記第１端末デバイスが第１セルにアクセスする時に使用するアクセス情報である。
【００２６】
そして、本発明の実施例において、異なる端末デバイスの間においてＤ２Ｄ通信方式を利用しセルにアクセスするためのアクセス情報を取得して、端末デバイスがネットワークデバイスからセルにアクセスするための当該アクセス情報を取得する時に発生した遅延を低減させることができる。
【００２７】
他の実施例として、前記第１アクセス情報は、前記第１セルにアクセスするための第１システム情報を含み、前記第２アクセス情報は、前記第２端末デバイスが前記第２セルにアクセスするための第２システム情報を含み、及び／又は、前記第１アクセス情報は、前記第１端末デバイスが前記第１セルにアクセスするための第１タイミングアドバンスＴＡを含み、前記第２アクセス情報は、前記第２端末デバイスが前記第２セルにアクセスするための第２ＴＡを含む。
【００２８】
他の実施例として、前記第２端末デバイスが前記第１アクセス情報に基づいて前記第２セルにアクセスするための第２アクセス情報を確定する前に、前記方法は、さらに、前記第２端末デバイスが条件情報を受信することを含み、
前記第２端末デバイスが、前記第１アクセス情報に基づいて前記第２端末デバイスの第２セルにアクセスするための第２アクセス情報を確定することは、前記第２端末デバイスが、前記条件情報に示す条件を満たしている場合、前記第１アクセス情報に基づいて前記第２アクセス情報を確定することを含む。
【００２９】
このように、端末デバイスがセルにアクセスするためのアクセス情報を取得する効率を向上させ、当該アクセス情報を利用しセルにアクセスする成功率を向上させることができる。
【００３０】
他の実施例として、前記条件情報は、位置条件情報、時間条件情報、速度条件情報、及び前記第１セルのセル識別子の情報のうちの少なくとも１つを含む。
【００３１】
他の実施例として、前記時間条件情報は、前記第１端末デバイスが他のデバイスから前記第１アクセス情報を受信した時刻及び前記第１アクセス情報の有効期間を含む。
【００３２】
ここで、当該有効期間は、第１端末デバイスの当該第１アクセス情報の受信から第２端末デバイスの当該第１アクセス情報の受信までの時間範囲であっても良いし、当該第１アクセス情報の終了時刻であっても良く、ここでは限定しない。
【００３３】
他の実施例として、前記第１アクセス情報は第１ＴＡを含み、前記位置条件情報は、前記第１端末デバイスが他のデバイスから前記第１ＴＡを受信した時に前記第１端末デバイスの位置及び前記第１ＴＡの有効使用距離を含む。
【００３４】
ここで、当該有効使用距離は、第２端末デバイスと第１端末デバイスとの間の最大距離を示してもよいし、当該第１ＴＡを使用する可能な端末デバイスの経度座標範囲、緯度座標範囲、高さ座標範囲のうちの少なくとも１つを示してもよく、ここでは限定しない。
【００３５】
他の実施例として、前記条件情報は、前記第１セルのセル識別子の情報を含み、前記第２端末デバイスが、前記第１アクセス情報に基づいて前記第２端末デバイスの第２セルにアクセスするための第２アクセス情報を確定することは、前記第２端末デバイスのアクセスする前記第２セルのセル識別子が前記第１セルのセル識別子と同じである場合、前記第２端末デバイスが前記第１アクセス情報に基づいて前記第２セルにアクセスするための前記第２アクセス情報を確定することを含む。
【００３６】
他の実施例として、前記第１アクセス情報は第１ＴＡを含み、前記速度条件情報は、前記第１端末デバイスの移動速度及び速度閾値を含み、前記第２端末デバイスが、前記第１アクセス情報に基づいて前記第２端末デバイスの第２セルにアクセスするための第２アクセス情報を確定することは、前記第１端末デバイスの移動速度が前記速度閾値の以下である場合、前記第２端末デバイスが前記第１ＴＡに基づいて前記第２セルにアクセスするための第２ＴＡを確定することを含む。
【００３７】
他の実施例として、前記第２端末デバイスが条件情報を受信することは、前記第２端末デバイスが前記第１端末デバイスにより送信された前記条件情報を受信すること、又は、前記第２端末デバイスがネットワークデバイスにより送信された前記条件情報を受信することを含む。
【００３８】
他の実施例として、前記第２端末デバイスが第１端末デバイスにより送信された第１アクセス情報を受信することは、第２端末デバイスが複数の第１端末デバイスによりそれぞれ送信された第１アクセス情報を受信することを含み、
前記第２端末デバイスが、前記第１アクセス情報に基づいて前記第２端末デバイスの第２セルにアクセスするための第２アクセス情報を確定することは、前記第２端末デバイスが、前記複数の第１端末デバイスのうちの各第１端末デバイスの速度情報又は位置情報に基づいて、前記複数の第１端末デバイスからターゲット端末デバイスを確定することと、前記第２端末デバイスが、前記ターゲット端末デバイスの第１アクセス情報に基づいて前記第２アクセス情報を確定することとを含む。
【００３９】
他の実施例として、前記第２端末デバイスが前記複数の第１端末デバイスのうちの各第１端末デバイスの速度情報又は位置情報に基づいて、前記複数の第１端末デバイスからターゲット端末デバイスを確定する前に、前記方法は、さらに、前記第２端末デバイスは、前記第２端末デバイスが前記複数の第１端末デバイスのうちの各第１端末デバイスの条件情報に示す条件を満たしていることを確定することを含み、
前記第２端末デバイスが、前記複数の第１端末デバイスのうちの各第１端末デバイスの速度情報又は位置情報に基づいて、前記複数の第１端末デバイスからターゲット端末デバイスを確定することは、前記第２端末デバイスが、前記複数の第１端末デバイスのうちの移動速度の一番遅い第１端末デバイスを前記ターゲット端末デバイスとして確定すること、又は、前記複数の第１端末デバイスのうちの前記第２端末デバイスに一番近い第１端末デバイスを前記ターゲット端末デバイスとして確定することを含む。
【００４０】
他の実施例として、前記第２端末デバイスが第１端末デバイスにより送信された第１アクセス情報を受信することは、第２端末デバイスが前記第１端末デバイスにより送信された複数の第１アクセス情報を受信することを含み、
前記第２端末デバイスが、前記第１アクセス情報に基づいて前記第２端末デバイスの第２セルにアクセスするための第２アクセス情報を確定することは、前記第２端末デバイスが、前記複数の第１アクセス情報に基づいて前記第２端末デバイスの前記第２セルにアクセスするための前記第２アクセス情報を確定することを含む。
【００４１】
例えば、第２端末デバイスが複数の第１アクセス情報に対して信号品質又は信号電力を検定することができ、例えば、第１端末デバイスが現在アクセスしている第１セルの第１アクセス情報の信号品質が一番良い又は信号電力が一番高い場合、第２端末デバイスが当該第１アクセス情報に基づいて第２アクセス情報を確定することができる。
【００４２】
他の実施例として、前記方法は、さらに、前記第２端末デバイスが前記第２アクセス情報を送信することを含む。
【００４３】
他の実施例として、前記第２端末デバイスが前記第２アクセス情報を送信することは、前記第２端末デバイスが前記第２アクセス情報をブロードキャストすることを含む。
【００４４】
第５形態は、端末デバイスを提供し、当該端末デバイスは、上記第２形態及び各実現方式のＤ２Ｄ通信方法において第２端末デバイスにより実現される各過程を実現するように構成される。当該端末デバイスは確定モジュール及び受信モジュールを含む。前記受信モジュールは、第１端末デバイスにより送信された第１アクセス情報を受信するように構成され、前記確定モジュールは、前記受信モジュールにより確定された前記第１アクセス情報に基づいて、前記第２端末デバイスの第２セルにアクセスするための第２アクセス情報を確定するように構成され、前記第１アクセス情報は、第１セルにアクセスするためのアクセス情報である。
【００４５】
第６形態は、端末デバイスを提供し、当該端末デバイスは、上記第２形態及び各実現方式のＤ２Ｄ通信方法において第２端末デバイスにより実現される各過程を実現するように構成される。当該端末デバイスはプロセッサー及び送受信機を含む。前記送受信機は、第１端末デバイスにより送信された第１アクセス情報を受信するように構成され、前記プロセッサーは、前記送受信機により確定された前記第１アクセス情報に基づいて、前記第２端末デバイスの第２セルにアクセス第２アクセス情報を確定するように構成され、前記第１アクセス情報は、第１セルにアクセスするためのアクセス情報である。
【００４６】
第７形態は、コンピュータ可読記憶媒体を提供し、前記コンピュータ可読記憶媒体にはプログラムが記憶され、前記プログラムにより端末デバイスが上記の第１形態及びその各実現方式のいずれかのＤ２Ｄ通信方法を実行する。
【００４７】
第８形態は、コンピュータ可読記憶媒体を提供し、前記コンピュータ可読記憶媒体にはプログラムが記憶され、前記プログラムにより端末デバイスが上記の第２形態及びその各実現方式のいずれかのＤ２Ｄ通信方法を実行する。
【図面の簡単な説明】
【００４８】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【図１】本発明の実施例における応用シーンの模式図である。
【図２】本発明の実施例におけるＤ２Ｄ通信方法のフローチャートである。
【図３】本発明の他の実施例におけるＤ２Ｄ通信方法のフローチャートである。
【図４】本発明の実施例におけるＤ２Ｄデバイスの構成のブロック図である。
【図５】本発明の実施例におけるＤ２Ｄデバイスの構成のブロック図である。
【図６】本発明の実施例におけるシステムチップの構成図である。
【図７】本発明の他の実施例におけるＤ２Ｄデバイスの構成のブロック図である。
【図８】本発明の他の実施例におけるＤ２Ｄデバイスの構成のブロック図である。
【図９】本発明の他の実施例におけるシステムチップの構成図である。
【発明を実施するための形態】
【００４９】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００５０】
図１は、本発明の実施例が適用する無線通信システムの概略図であり、当該無線通信システムは、少なくとも１つのネットワークデバイス３０を含む。ネットワークデバイス３０は、端末デバイスと通信するデバイスであっても良い。それぞれのネットワークデバイス３０は、特定した地理領域に通信カバレッジを提供することができ、当該カバレッジ領域内に位置する端末デバイスと通信できる。当該ネットワークデバイス３０は、グローバルシステム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）又はシンボル分割多元接続（ＣＤＭＡ：Ｃｏｄｅ  Ｄｉｖｉｓｉｏｎ  Ｍｕｌｔｉｐｌｅ  Ａｃｃｅｓｓ）システムにおける基地局（ＢＴＳ：Ｂａｓｅ  Ｔｒａｎｓｃｅｉｖｅｒ  Ｓｔａｔｉｏｎ）であっても良く、ＷＣＤＭＡシステムにおける基地局（ＮＢ：ＮｏｄｅＢ）であっても良く、さらにＬＴＥシステムにおける進化型基地局（ｅＮＢ又はｅＮｏｄｅＢ：Ｅｖｏｌｕｔｉｏｎａｌ  Ｎｏｄｅ  Ｂ）であっても良く、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であっても良く、又は当該ネットワークデバイスは、中継局、アクセスポイント、車載デバイス、ウェアラブルデバイス及び将来の５Ｇネットワークにおけるコアネットワークデバイス、又は公衆携帯電話網ネットワーク（ＰＬＭＮ：Ｐｕｂｌｉｃ  Ｌａｎｄ  Ｍｏｂｉｌｅ  Ｎｅｔｗｏｒｋ）におけるネットワークデバイスなどであっても良い。
【００５１】
当該無線通信システムは、ネットワークデバイス３０のカバレッジ範囲内に位置する複数の端末デバイス１０〜端末デバイス７０をさらに含む。これらの端末デバイスは移動又は固定的なものであっても良い。これらの端末デバイスは、アクセス端末、ユーザデバイス（ＵＥ：Ｕｓｅｒ  Ｅｑｕｉｐｍｅｎｔ）、ユーザユニット、ユーザステーション、移動ステーション、移動局、遠隔局、遠隔端末、移動デバイス、ユーザ端末、端末、無線通信デバイス、ユーザエージェント又はユーザ装置と指しても良い。アクセス端末はセルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末デバイス、又は将来進化型公衆移動通信網（ＰＬＭＮ：Ｐｕｂｌｉｃ  Ｌａｎｄ  Ｍｏｂｉｌｅ  Ｎｅｔｗｏｒｋ）おける端末デバイスなどであっても良い。
【００５２】
図１は、一つのネットワークデバイスと６つの端末デバイスを例示的に示しており、任意選択で、当該無線通信システムは、複数個のネットワークデバイスを含むことができ、それぞれのネットワークデバイスのカバレッジ範囲内にその他の数の端末デバイスが含まれても良い、本発明の実施例はそれを限定しない。また、当該無線通信システム１０は、モビリティ管理エンティティ（ＭＭＥ：Ｍｏｂｉｌｅ  Ｍａｎａｇｅｍｅｎｔ  Ｅｎｔｉｔｙ）、サービングゲートウェイ（ＳＧＷ：Ｓｅｒｖｉｎｇ  ＧａｔｅＷａｙ）、パケットデータネットワークゲートウェイ（Ｐ−ＧＷ：Ｐａｃｋｅｔ  Ｄａｔａ  Ｎｅｔｗｏｒｋ  Ｇａｔｅｗａｙ）などのその他のネットワークエンティティを含むことも可能であるが、本発明の実施例はこれらに限らない。
【００５３】
具体的に、端末デバイス１０〜端末デバイス７０は、セルラー通信モード又はＤ２Ｄ通信モードで通信することができ、ここで、セルラー通信モードにおいて、端末デバイスは、ネットワークデバイスとの間の携帯電話のリンクを介して他の端末デバイスと通信し、Ｄ２Ｄ通信モードにおいて、２つの端末デバイスはＤ２Ｄリンクを介して直接に通信を行う。
【００５４】
端末デバイスがＤ２Ｄ通信（例えばＶ２Ｖ通信又はＶ２Ｘ通信）を行う場合、伝送リソースを自主に選択してもよいし、ネットワークデバイスによりそれにＤ２Ｄ通信の伝送リソースを割り当てもよいが、本発明の実施例はこれを限定しない。
【００５５】
Ｄ２Ｄ通信は、車両ツー車両（Ｖ２Ｖ：Ｖｅｈｉｃｌｅ  ｔｏ  Ｖｅｈｉｃｌｅ）通信又はＶ２Ｘ通信であっても良い。Ｖ２Ｘ通信において、Ｘは、無線送受信能力を備えるデバイスを広く指し、例えば、遅く移動する無線装置、快速移動する車両機器、又は無線送受信能力を備えるネットワーク制御ノード等であっても良いが、本発明はこれらに限定しない。なお、本発明の実施例は、主にＶ２Ｘ通信シーンに応用されてもよいし、他のＤ２Ｄ通信シーンに応用されてもよいが、本発明の実施例はこれを限定しない。
【００５６】
端末デバイスが当該システムにアクセスする前に、ネットワークデバイス３０から送信されたシステム情報を受信する必要があり、ネットワークデバイス３０が固定周期でシステム情報をブロードキャストするため、端末がシステム情報を取得する時に一定の遅延が発生する。また、端末デバイスがシステムに正式アクセスする場合、１つのタイミングアドバンスＴＡを取得する必要があり、当該ＴＡは、端末デバイスとネットワークデバイスとの間の距離を示してもよく、端末がＴＡ値を前倒して信号を送信し、このように、伝送遅延により異なる端末デバイスの基地局に到着する時間が不一致という課題を回避することができる。ＴＡ値の取得について、端末デバイスからネットワークデバイスに１つの既知のシーケンスを送信し、ネットワークデバイスがこの既知のシーケンスによってＴＡ値を算出してから、端末に当該ＴＡ値の大きさに通知する必要がある。そして、端末がＴＡ情報を取得する過程においても一定の遅延が発生する。システム情報及びＴＡ値の取得は、端末のシステムへの初期アクセス時の遅延の一部となる。５Ｇ（Ｎｅｗ  Ｒａｄｉｏ）システムにおいて、伝送遅延を大きく低減させる必要があり、伝送遅延を低減させるための１つの重要な形態として、端末デバイスのシステムへの初期アクセス時の遅延を低減することであり、例えば、本発明は、端末がシステム情報及びＴＡを取得する時に発生した伝送遅延を低減するものである。本発明の実施例における通信方法及び端末デバイスは、Ｄ２Ｄ通信方式によって、他の端末デバイスからシステムにアクセスするためのシステム情報及びＴＡを受信することで、端末デバイスのシステムへの初期アクセス時の遅延を回避することができる。
【００５７】
図２は本発明の実施例におけるＤ２Ｄ通信方法のフローチャートを示す。当該方法は、上記の無線通信システムに適用されることができる。以下、端末デバイス１０及び端末デバイス２０を例とし、本発明の実施例を説明するが、本発明の実施例はこれに限定しない。本発明の実施例におけるＤ２Ｄ通信方法において、端末デバイス１０は、端末デバイス２０を含む複数の端末デバイスにアクセス情報を送信することができ、当該アクセス情報を受信した他の端末デバイスにより実行される方法は、端末デバイス２０により実行される方法を参照してもよく、簡潔にするために、ここで説明を省略する。図２に示すように、当該Ｄ２Ｄ通信方法は、２０１〜２０４を含む。
【００５８】
２０１において、端末デバイス１０は第１アクセス情報を確定する。
【００５９】
ここで、当該第１アクセス情報は、第１セルにアクセスするためのアクセス情報である。例えば、当該アクセス情報は、当該第１セルにアクセスためのシステム情報、ＴＡ値及び第１セルにアクセスための他の情報を含み、第１セルは、第１アクセス情報によってアクセス可能なセルを含む。端末デバイス１０は、当該第１アクセス情報に基づいて、当該第１セル内への初期アクセスを行う。
【００６０】
他の実施例として、当該第１アクセス情報は、第１セルにアクセスするための第１システム情報、及び／又は、端末デバイス１０が当該第１セルにアクセスするための第１ＴＡを含む。
【００６１】
具体的に、端末デバイス１０は、第１セルにアクセスするための当該第１アクセス情報を確定する。当該第１アクセス情報は、端末デバイス１０がネットワークデバイス３０から受信したものであっても良いし、端末デバイス１０が他の端末デバイスから受信したのもであっても良い。例えば、当該第１アクセス情報は第１システム情報を含み、当該第１システム情報は、ネットワークデバイス３０によりブロードキャストされた当該セルの現在のシステム情報であっても良いし、他の端末デバイスから端末デバイス１０にブロードキャスト又は送信したシステム情報であっても良く、端末デバイス１０は、当該第１システム情報を受信してから、その所在の第１セルのセルラシステムの基本情報を取得することができる。また、例えば、当該第１アクセス情報は第１ＴＡを含み、当該第１ＴＡは、端末デバイス１０がネットワークデバイス３０に特定のシーケンスを送信してからネットワークデバイス３０により算出されたＴＡであっても良いし、他の端末デバイスから端末デバイス１０にブロードキャスト又は送信したＴＡであっても良く、端末デバイス１０は、当該第１ＴＡを受信してから、当該第１ＴＡに基づいてネットワークデバイス１０にアクセス信号を送信することができる。
【００６２】
他の実施例として、２０１において、端末デバイス１０が第１アクセス情報を確定することは、端末デバイス１０は端末デバイス１０の移動速度に基づいて当該第１アクセス情報を確定することを含む。
【００６３】
具体的に、ある端末デバイスの移動速度が非常に速い場合、それによりブロードキャストされたアクセス情報内のいくつかの情報、例えばＴＡ値の参照性が低くなり、この時、当該端末デバイスの移動速度を制限してもよい。ネットワークデバイス３０は、ブロードキャストメッセージによって配置を行うことができ、これによって、移動速度が一定の閾値を超える端末デバイスが上記のアクセスメッセージをブロードキャストする必要がなく、又は、端末デバイスが当該アクセス情報を受信して参照するように、当該端末デバイスがＴＡをブロードキャストしなくシステム情報のみをブロードキャストし、さらに、自分の移動速度の情報を提供する。
【００６４】
２０２において、端末デバイス１０は、当該第１アクセス情報を送信する。
【００６５】
具体的に、システム情報及びＴＡ値を取得した端末デバイス、例えば端末デバイス１０は、自分で取得した第１アクセス情報を他の端末デバイス、例えば端末デバイス２０、端末デバイス４０、端末デバイス５０等に送信することで、これらの端末デバイスは、端末デバイス１０により送信された当該第１アクセス情報を受信した後、当該第１アクセス情報に基づいて自分が第２セルにアクセスするための第２アクセス情報を確定することができる。
【００６６】
選択可能で、端末デバイス１０が第１アクセス情報を送信することは、端末デバイス１０が当該第１アクセス情報をブロードキャストすることを含む。
【００６７】
例えば、端末デバイス１０は、ＳＬ（ＳｉｄｅＬｉｎｋ）ブロードキャスト方式により当該第１アクセス情報を送信することができる。Ｄ２Ｄ通信又はＶ２Ｖ通信／Ｖ２Ｘ通信において、Ｄ２Ｄ通信／Ｖ２Ｖ通信／Ｖ２Ｘ通信をサポートする端末デバイスが第１アクセス情報を受信又は発見するように、端末デバイスがデータパケットをブロードキャストすることができる。第３世帯パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）において、このような端末デバイスの間の直接接続により構成されるリンクをＳＬという。
【００６８】
他の実施例として、端末デバイス１０が当該第１アクセス情報を送信することは、
端末デバイス１０の移動速度が速度閾値の以下である場合、端末デバイス１０は、第１システム情報、第１ＴＡ、及び端末デバイス１０の移動速度を送信すること、又は、
端末デバイス１０の移動速度が速度閾値より大きい場合、端末デバイス１０は第１システム情報、及び端末デバイス１０の移動速度を送信することを含む。
【００６９】
例えば、端末デバイス１０の移動速度が速度閾値の以下である場合、端末デバイス１０は、自分で取得した第１アクセス情報を送信し、例えば、当該アクセス情報には第１ＴＡや第１システム情報等が含まれてもよく、また、端末デバイス１０が端末デバイス１０の移動速度も送信してもよく、これによって、端末デバイス２０が当該第１アクセス情報を受信して参照することができる。当該端末デバイス１０の移動速度が当該速度閾値より大きい場合、第１ＴＡの参照性が良くないため、当該第１アクセス情報には第１ＴＡが含まれなく、当該第１システム情報及び移動速度との関連性が低いアクセス情報が含まれ、この時、端末デバイス１０は、端末デバイス２０に当該第１システム情報とともに当該端末デバイス１０の移動速度を送信することができる。
【００７０】
なお、端末デバイス１０の移動速度が速度閾値に等しい場合、端末デバイス１０は、第１ＴＡを送信してもいいし、第１ＴＡを送信しなくてもよい。ここで、端末デバイス１０が第１ＴＡを送信するかどうかを指示するために用いられる速度閾値は、予め設定された２つの速度閾値であっても良く、端末デバイス１０の移動速度が第１閾値より小さい場合、第１ＴＡを送信し、端末デバイス１０の移動速度が第２閾値より大きい場合、第１ＴＡを送信しなく、端末デバイス１０の移動速度が２つの速度閾値の間にある場合、端末デバイス１０は、他の方式によって自分の第１ＴＡの信頼性を判断して当該第１ＴＡを送信するかどうかを決定してもよい。ここで限定しない。
【００７１】
他の実施例として、端末デバイス１０が当該第１アクセス情報を送信する前に、つまり、２０２の前に、当該方法は、さらに、
端末デバイス１０は、ネットワークデバイス３０により送信された指示情報を受信し、当該指示情報は、端末デバイス１０が当該第１アクセス情報を送信するように指示するために用いられる。
【００７２】
ここで、２０２において、端末デバイス１０が当該第１アクセス情報を送信することは、端末デバイス１０が、当該指示情報に基づいて、当該第１アクセス情報を送信することを含む。
【００７３】
つまり、ネットワークデバイス３０は、端末デバイス１０が当該第１アクセス情報を送信し又はブロードキャストするかどうかを指示することができ、端末デバイス１０は、ネットワークデバイス３０により送信された当該指示情報を受信し、即ち、ネットワークデバイス３０からの配置又はスケジューリングを受けた場合のみ、上記アクセスメッセージを送信またはブロードキャストする。
【００７４】
他の実施例として、２０２において、端末デバイス１０が第１アクセス情報を送信することは、
端末デバイス２０が複数の第１アクセス情報を受信した場合に当該複数の第１アクセス情報に基づいて端末デバイス２０の当該第２セルにアクセスするための当該第２アクセス情報を確定するように、端末デバイス１０は、前記複数の第１アクセス情報を送信し、当該複数の第１アクセス情報が複数の第１セルと一対一に対応しており、当該複数の第１アクセス情報内の各第１アクセス情報は、対応する第１セルにアクセスするために用いられる。
【００７５】
具体的に、当該複数の第１アクセス情報は、複数の第１セルからの異なるアクセス情報であっても良い。端末デバイス１０は、セルのエッジ位置に位置する場合、隣接する複数のセルの複数の第１アクセス情報、例えば、他のセルでの端末デバイスにより取得された複数の第１アクセス情報を有する可能性がある。この時、２０２内の第１アクセス情報は、複数の第１アクセス情報、例えば、端末デバイス１０の現在アクセスしている第１セルの第１アクセス情報、及び端末デバイス１０が他のセルの端末デバイスから受信した他のセルにアクセスするための第１アクセス情報を含み、端末デバイス２０は、複数の第１アクセス情報に基づいて第２アクセス情報を確定することができる。
【００７６】
選択可能で、端末デバイス１０は、複数の第１アクセス情報にそれぞれ対応する複数のセルのセル識別子、これらのセルにそれぞれアクセスして使用するＴＡ値等の情報を送信することができる。
【００７７】
選択可能で、第１アクセス情報が第１システム情報を含む場合、複数の第１アクセス情報内の複数の第１システム情報において一部の情報が同じであり、一部が相異する可能性がある。この時、第１端末デバイス１０は、現在アクセスしている第１セルの第１システム情報とともに、他の第１システム情報内の相異する情報を送信し、さらに、他の第１システム情報にどの部分が第１端末デバイス１０の現在アクセスしている第１セルの第１システム情報と同じ又は相異することを示してもよい。
【００７８】
選択可能で、端末デバイス１０は、複数の第１アクセス情報を送信する時に、時間差情報を送信してもよく、当該時間差情報は、端末デバイス１０が異なるセルから信号を取得した時刻の間の差分である。
【００７９】
例えば、当該時間差は、第１端末デバイス１０により異なるセルが検定されたプライマリ同期信号（ＰＳＳ：Ｐｒｉｍａｒｙ  Ｓｙｎｃｈｒｏｎｉｚａｔｉｏｎ  Ｓｉｇｎａｌ）の間の時間差であっても良いし、又は補助同期信号（ＳＳＳ：Ｓｅｃｏｎｄａｒｙ  Ｓｙｎｃｈｒｏｎｉｚａｔｉｏｎ  Ｓｉｇｎａｌ）の間の時間差であっても良い。
【００８０】
２０３において、端末デバイス２０は、端末デバイス１０により送信された第１アクセス情報を受信する。
【００８１】
ここで、当該第１アクセス情報は、第１セルにアクセスするためのアクセス情報である。
【００８２】
具体的に、端末デバイス２０は、端末デバイス１０により送信された第１アクセス情報を受信した後、当該第１アクセス情報に基づいて、アクセスしようとする第２セルにアクセスするための第２アクセス情報を確定することができる。なお、この時端末デバイス２０は、他の端末デバイスにより送信された、各セルにアクセスして使用するアクセス情報を受信することができ、端末デバイス２０は、受信された少なくとも１つのアクセス情報から端末デバイス２０の第２セルにアクセスするための第２アクセス情報を確定してもよく、例えば、端末デバイス２０は、端末デバイス１０により送信された第１アクセス情報を自分の第２セルにアクセルするための第２アクセス情報とする。
【００８３】
２０４において、端末デバイス２０は、当該第１アクセス情報に基づいて、当該セルにアクセスするための第２アクセス情報を確定する。
【００８４】
具体的に、端末デバイス２０は、端末デバイス１０により送信された当該第１アクセス情報を受信した後、当該第１アクセス情報に基づいて、第２セルに現在アクセスするための第２アクセス情報を確定する。
【００８５】
ここで、当該第２セルは、第１セルと同じであるセルであっても良いし、第１セルに相違するセルであっても良い。
【００８６】
選択可能で、当該第１アクセス情報は、第１セルにアクセスするための第１システム情報を含み、当該第２アクセス情報は、端末デバイス２０が第２セルにアクセスするための第２システム情報を含み、及び／又は、当該第１アクセス情報は、端末デバイス１０が第１セルにアクセスするための第１ＴＡを含み、当該第２アクセス情報は、端末デバイス２０が第２セルにアクセスするための第２ＴＡを含む。
【００８７】
具体的に、端末デバイス１０から端末デバイス２０に送信された第１アクセス情報に第１システム情報が含まれる場合、端末デバイス２０は、当該第１システム情報に基づいて、端末デバイス２０の第２セルにアクセスするための第２システム情報を確定することができる。当該第１アクセス情報に第１ＴＡが含まれる場合、端末デバイス２０は、当該第２ＴＡに基づいて第２セルにアクセスするための第２ＴＡを確定することができる。なお、端末デバイス２０は、複数の端末デバイスにより送信されたアクセス情報を同時に受信し、異なるアクセス情報から第１ＴＡ及び第１システム情報をそれぞれ取得することができ、ここでは限定しない。
【００８８】
端末デバイス１０が当該第１セルにアクセスするための第１アクセス情報を取得する過程において、端末デバイス１０とネットワークデバイス３０との間のシグナル送受信により、第１アクセス情報の取得過程に遅延をもたらす可能性があり、それより、端末デバイス１０と他の端末デバイスとがネットワークデバイス３０に到着する時間が一致しない。そして、本発明の実施例において、異なる端末デバイスの間においてＤ２Ｄ通信方式を利用しセルにアクセスするためのアクセス情報を取得して、端末デバイスがネットワークデバイスからセルにアクセスするための当該アクセス情報を取得する時に発生した遅延を低減させることができる。
【００８９】
他の実施例として、２０４において、端末デバイス２０が端末デバイス１０により送信された第１アクセス情報を受信することは、
端末デバイス２０が端末デバイス１０により送信された複数の第１アクセス情報を受信することを含み、
端末デバイス２０が当該第１アクセス情報に基づいて端末デバイス２０の第２セルにアクセスするための第２アクセス情報を確定することは、
端末デバイス２０が、複数の第１アクセス情報に基づいて、端末デバイス２０の当該第２セルにアクセスするための当該第２アクセス情報を確定することを含む。
【００９０】
具体的に、端末デバイス１０は、セルのエッジ位置に位置する場合、隣接する複数のセルの複数の第１アクセス情報、例えば他のセルでの端末デバイスにより取得された複数の第１アクセス情報を有する可能性がある。この時、端末デバイス２０は、端末デバイス１０により送信された複数の第１アクセス情報を受信して、複数の第１アクセス情報に基づいて当該第２アクセス情報を確定することができる。
【００９１】
例えば、第２端末デバイスが複数の第１アクセス情報から信号品質又は信号電力を検定することができ、第１端末デバイスが現在アクセスしている第１セルの第１アクセス情報の信号品質が一番良い又は信号電力信号が一番高い場合、第２端末デバイスは、当該現在アクセスしている第１セルの第１アクセス情報を選択することができる。例えば、端末デバイス２０は、当該複数の第１アクセス情報から当該第１アクセス情報を第２アクセス情報とし、これによって、当該第１アクセス情報に対応する第１セルにアクセスし、この時、第２セルは、当該第１アクセス情報に対応する第１セルである。
【００９２】
選択可能で、端末デバイス２０は、複数の第１アクセス情報を受信した後、さらに、受信端末デバイス１０により送信された時間差情報を受信し、当該時間差情報は、端末デバイス１０が異なるセルから信号を取得した時刻の間の差分である。
【００９３】
そして、端末デバイス２０は、当該時間差情報に基づいて、アクセス情報の受信の過程を指導し、より短い時間において他のセル又は隣接するセルからの信号を検定することができる。
【００９４】
他の実施例として、図３は本発明の他の実施例におけるデバイスツーデバイス通信方法のフローチャートであり、当該方法は、さらに、２０５及び２０６を含む。
【００９５】
２０５において、端末デバイス１０は条件情報を送信する。
【００９６】
ここで、当該条件情報は、端末デバイス２０が当該条件情報に示す条件を満たしている場合、当該第１アクセス情報に基づいて当該第２アクセス情報を確定するように指示するために用いられる。
【００９７】
選択可能で、当該条件情報は、
位置条件情報、時間条件情報、当該第１セルのセル識別子及び前記端末デバイス１０の移動速度のうちの少なくとも１つを含む。
【００９８】
２０６において、端末デバイス２０は、当該条件情報を受信する。
【００９９】
なお、端末デバイス２０が条件情報を受信することは、端末デバイス１０により送信された当該条件情報を受信することであっても良いし、端末デバイス２０がネットワークデバイス３０により送信された当該条件情報を受信することであっても良い。
【０１００】
この時、図２の２０４を２０４１に切り替えてもよい。
【０１０１】
２０４１において、端末デバイス２０は、当該条件情報に示す条件を満たしている場合、第１アクセス情報に基づいて第２アクセス情報を確定する。
【０１０２】
具体的に、端末デバイス１０により送信された第１アクセス情報が他の端末デバイスに受信された後、無条件の使用ではなく、一定の使用条件、例えば、位置条件情報、時間条件情報、当該第１セルのセル識別子及び端末デバイス１０の移動速度等の条件を満たしてもよい。当該使用条件を満たしている端末デバイスは、当該第１アクセス情報に基づいて現在のセルに自分にアクセスするための第２アクセス情報を確定することができる。
【０１０３】
このように、端末デバイスがセルにアクセスするためのアクセス情報を取得する効率を向上させ、当該アクセス情報を利用しセルにアクセスする成功率を向上させることができる。
【０１０４】
他の実施例として、当該時間条件情報は、端末デバイス１０が他のデバイスから当該第１アクセス情報を受信した時刻、及び前記第１アクセス情報の有効期間を含む。
【０１０５】
具体的に、ネットワークデバイス３０は、第１アクセス情報を受信する端末デバイス２０が、端末デバイス１０の一定の時間範囲においてブロードキャストしている第１アクセス情のみを利用するように指示してもよい。端末デバイス１０は、ネットワークデバイス３０により配置された又は予め約束された当該時間条件情報を同時にブロードキャストすることができる。そして、端末デバイス２０は、当該第１アクセス情報及び条件情報を受信した後、当該条件情報に基づいて、端末デバイス１０により送信された当該第１アクセス情報に基づいて第２アクセス情報を確定するかどうかを決定し、端末デバイス２０が当該時間条件情報に示す時間条件を満たしている場合、端末デバイス２０が当該第１アクセス情報に基づいて第２アクセス情報を確定する。当該第１アクセス情報は、第１システム情報及び／又は第１ＴＡを含んでもよいし、セルにアクセスするための他のアクセス情報を含んでもよい。
【０１０６】
また、ここの時刻は、時間マークによって示してもよく、例えばユニバーサルタイム協調（ＵＴＣ：Ｕｎｉｖｅｒｓａｌ  Ｔｉｍｅ  Ｃｏｏｒｄｉｎａｔｅｄ）によって示す。
【０１０７】
当該有効期間は、端末デバイス１０の当該第１アクセス情報の受信から端末デバイス２０の当該第１アクセス情報の受信までの時間範囲を示してもよく、端末デバイス２０の当該第１アクセス情報を受信した時刻が当該時間範囲に入れるため、当該第１アクセス情報が端末デバイス２０の第２ＴＡの確定に応用されることができる。このように、端末デバイス２０は、当該第１アクセス情報及び当該条件情報を受信した場合、当該第１アクセス情報及び当該条件情報に基づいて、第２セルにアクセスするための第２ＴＡを確定することができる。当該有効期間は、当該第１アクセス情報の終了時刻を含んでもよく、端末デバイス２０の当該第１アクセス情報を受信した時刻が当該終了時刻より早い場合、端末デバイス２０は、当該第１アクセス情報及び当該条件情報に基づいて、第２セルにアクセスするための第２ＴＡを確定することができる。本発明はこれに限定しない。
【０１０８】
例えば、端末デバイス２０により受信された端末デバイス１０からの当該第１アクセス情報には、第１セルにアクセスするための第１アクセス情報が含まれ、また、当該第１アクセス情報には、端末デバイス１０の当該第１アクセス情報を成功に受信した時刻が、例えば１４：００である場合、端末デバイスにより受信された条件情報には、当該第１アクセス情報の有効期間例えば３０ｍｉｎが含まれる。端末デバイス２０の当該第１アクセス情報を受信した現在の時刻が１４：２０である場合、２０ｍｉｎが３０ｍｉｎより小さいため、条件情報に示す時間条件を満たし、この場合、端末デバイス２０は、当該第１アクセス情報を第２セルにアクセスするための第２ＴＡとすることができ、端末デバイス２０により受信された当該第１アクセス情報の現在時刻が１４：４０である場合、４０ｍｉｎが３０ｍｉｎより大きいため、条件情報に示す時間条件を満たさないため、当該第１アクセス情報の参照性が良くなくなり、この場合、端末デバイス２０は、当該第１アクセス情報を第２セルにアクセスするための第２ＴＡとしなく、他の端末デバイスから受信された第１アクセス情報から第２セルにアクセスするための第２ＴＡを確定する。
【０１０９】
他の実施例として、当該第１アクセス情報は第１ＴＡを含み、当該位置条件情報は、当該端末デバイス１０が他のデバイスから当該第１ＴＡを受信した時の端末デバイス１０の位置、及び当該第１ＴＡの有効使用距離を含む。
【０１１０】
具体的に、ＴＡ値が主に端末デバイスとネットワークデバイスとの間の信号伝送経路に関連し、ネットワークデバイスの所在のセルの無線伝送環境により影響される。そして、ネットワークデバイス３０は、端末デバイス２０が一定の位置範囲内において端末デバイスのブロードキャストしたＴＡ情報のみを利用するように指示する。第１アクセス情報をブロードキャストしている端末デバイス１０は、ネットワークデバイス３０により配置される当該有効使用距離を同時に送信してもよい。そして、端末デバイス２０は、当該第１アクセス情報及び条件情報を受信した後、当該条件情報によって、端末デバイス１０により送信された当該第１ＴＡに基づいて第２ＴＡを確定するかどうかを決定し、端末デバイス２０が当該位置条件情報に示す位置条件を満たしている場合、端末デバイス２０が当該第１アクセス情報に基づいて第２アクセス情報を確定する。
【０１１１】
なお、当該有効使用距離は、端末デバイス２０と端末デバイス１０との最大距離を示してもよく、即ち、端末デバイス２０と端末デバイス１０との間の距離がこの最大距離より小さい場合、端末デバイス２０が当該第１ＴＡに基づいて第２ＴＡを確定する。当該有効使用距離は、当該第１ＴＡを使用する可能な端末デバイスの経度座標範囲、緯度座標範囲、高さ座標範囲のうちの少なくとも１つを示してもよく、即ち、端末デバイス２０の位置が上記の経度座標範囲、緯度座標範囲、高さ座標範囲のうちの少なくとも１つを満たしている場合、当該第１ＴＡに基づいて第２ＴＡを確定することができ、ここでは限定しない。
【０１１２】
例えば、端末デバイス２０が端末デバイス１０から受信した当該第１アクセス情報には、端末デバイス１０の現在セルにアクセスして使用する第１ＴＡが含まれ、また、端末デバイス１０が当該第１ＴＡを成功に受信した時の位置も含まれる。端末デバイス２０が端末デバイス１０から受信した当該条件情報には、当該第１ＴＡの有効使用距離が含まれ、例えば、端末デバイス１０から５００ｍの範囲内の位置は、条件を満たしている有効使用距離である。
【０１１３】
端末デバイス２０は、当該第１アクセス情報を受信した後、当該第１アクセス情報内の端末デバイス１０の当該第１ＴＡの受信位置及び端末デバイス２０の現在の位置に基づいて、端末デバイス１０の当該第１ＴＡの受信位置と端末デバイス２０の位置との間の距離を算出する。端末デバイス２０と端末デバイス１０との間の距離が５００ｍより小さい場合、端末デバイス２０は、当該第１ＴＡを当該セルにアクセスするための第２ＴＡとして確定することができ、即ち当該第２ＴＡが当該第１ＴＡと同じであっても良い。端末デバイス２０と端末デバイス１０との間の距離が５００ｍより大きい場合、当該第２ＴＡと当該第１ＴＡとが同じでなく、この時、端末デバイス２０は、他の端末デバイスから受信した第１アクセス情報から、当該セルにアクセスするための第２ＴＡを確定してもよい。
【０１１４】
選択可能で、ネットワークデバイス３０は、ブロードキャストの方式又は専用シグナリングによって、上記の条件情報、例えば有効使用距離、有効期間等の条件情報を構成することができる。
【０１１５】
他の実施例として、当該条件情報は、第１セルのセル識別子の情報を含んでもよく、２０４において、端末デバイス２０が当該第１アクセス情報に基づいて端末デバイス２０の第２セルにアクセスするための第２アクセス情報を確定することは、
端末デバイス２０のアクセスしようとする第２セルのセル識別子が第１セルのセル識別子と同じである場合、端末デバイス２０は、当該第１アクセス情報に基づいて、第２セルにアクセスするための当該第２アクセス情報を確定する。
【０１１６】
そして、端末デバイス２０を含む他の端末デバイスは、当該第１アクセス情報及び当該条件情報を受信した場合、当該セル識別子の情報によって、当該第１アクセス情報に基づいて当該セルにアクセスするための当該第２アクセス情報を確定するかどうかを決定し、端末デバイス２０のアクセスしようとする第２セルのセル識別子が第１セルのセル識別子と同じである場合、端末デバイス２０は、当該第１アクセス情報に基づいて当該第２アクセス情報を確定する。
【０１１７】
具体的に、端末デバイス２０は、第２セルに進入してからセル同期を行い、当該第２セルのセル識別子、例えば物理層セル識別子（ｃｅｌｌ  ＩＤ）を検定し、端末デバイス２０が端末デバイス１０からの第１アクセス情報を受信した後、当該第１アクセス情報に含まれる第１セルのセル識別子が端末デバイス２０の検定したアクセスしようとする第２セルのセル識別子と一致する場合、端末デバイス２０は、当該第１アクセスメッセージに基づいて第２セルにアクセスするための第２アクセス情報を確定する。端末デバイス２０が２つのセルのエッジの重複領域に位置する可能性があるため、この時、端末デバイス２０がこの２つのセルでの端末デバイスから送信されたアクセス情報を受信する可能性があり、例えば、端末デバイス２０は、現在のアクセスしようとする第２セルでの端末デバイス１０から送信された第１アクセス情報、及び他のセルでの端末デバイス４０から送信された第４アクセス情報を受信し、この時、端末デバイス２０は、検定された第２セルのセル識別子を端末デバイス２０の受信された第１アクセス情報内のセル識別子と比べる必要があり、第１アクセス情報内の第１セルのセル識別子が端末デバイス２０の検定された第２セルのセル識別子と同じである場合、端末デバイス２０は、当該第１アクセス情報に基づいて第２アクセス情報を確定してもよく、第４アクセス情報内のセル識別子が端末デバイス２０の検定された第２セルのセル識別子と相違する場合、端末デバイス２０は、当該第４アクセス情報に基づいて第２アクセス情報を確定しない。
【０１１８】
なお、本実施例において、第１セルのセル識別子が第２セルのセル識別子と同じである場合、第２セルと第１セルとが同じセルであることを示し、つまり、各セルのアクセス情報が相違し、端末デバイス２０のアクセスしようとする第２セルが端末デバイス１０の現在アクセスしている第１セルとが同じセルである場合、当該第１アクセス情報基づいて第２セルにアクセスするための第２アクセス情報を確定する。ただし、これは、第１セルのセル識別子と第２セルのセル識別子とが相違する場合、端末デバイス２０が当該第１アクセス情報を使用して第２セルにアクセスすることができないと限定しない。例えば、ネットワークデバイス３０は、異なるセルに同じシステム情報を構成してもよい。例えば、隣接する２つのセルとする上記の第１セル及び第２セルについて、これらが使用するセルラシステムの基本情報、例えば、サブキャリア帯域幅等のパラメータが同じである場合、第１セルと第２セルとは、同じシステム情報を使用してもよく、端末デバイス２０は、第１アクセス情報から第１セルの第１システム情報を取得して、第１システム情報に基づいて第２セルにアクセスすることができる。
【０１１９】
なお、当該条件情報は、端末デバイス１０により送信されたものであっても良いし、ネットワークデバイス３０により送信されたものであっても良く、即ち、端末デバイス２０は、端末デバイス１０により送信された当該条件情報を受信しでもよいし、ネットワークデバイス３０により送信された当該条件情報を受信してもよい。つまり、端末デバイス１０から端末デバイス２０に送信した当該条件情報は、ネットワークデバイス３０により構成されたものであっても良いし、端末デバイス１０により確定されたものであっても良いし、プロトコルにより約束されたものであっても良く、ここでは限定しない。
【０１２０】
他の実施例として、当該第１アクセス情報は、端末デバイス１０が第１セルにアクセスして使用する第１ＴＡを含み、当該条件情報は、端末デバイス１０の移動速度を含み、２４０において、端末デバイス２０が当該第１アクセス情報に基づいて第２セルにアクセスするための第２アクセス情報を確定することは、
端末デバイス１０の移動速度が速度閾値の以下である場合、端末デバイス２０が当該第１ＴＡに基づいて当該セルにアクセスするための当該第２ＴＡを確定する。
【０１２１】
つまり、端末デバイス１０の移動速度が非常に速い場合、ブロードキャストしているＴＡ値の参照性が低くなるため、端末デバイス２０は、端末デバイス１０からの第１ＴＡを受信した場合、まず、当該条件情報に基づいて端末デバイス１０の移動速度を確定してもよい。端末デバイス１０の移動速度が低く例えば速度閾値より小さい又は静止する場合、端末デバイス２０は、第１ＴＡに基づいて第２セルにアクセスするための第２ＴＡを確定してもよく、即ち、当該第１ＴＡを使用してもよい。端末デバイス１０の移動速度が高く例えば速度閾値より大きい場合、端末デバイス２０は当該第１ＴＡを使用しなくてもよい。
【０１２２】
本発明の実施例における端末デバイス１０は、自分がセルにアクセスして使用する第１アクセス情報を送信する可能な端末デバイスを指し、当該端末デバイス１０は、自分の第１アクセス情報を他の端末デバイスへ送信する端末デバイスである。上記の端末デバイス１０は、１つの端末デバイスを例として説明する。実際に、端末デバイス２０は、複数の端末デバイス１０により送信された複数のアクセス情報を受信することができる。以下は説明する。
【０１２３】
他の実施例として、端末デバイス２０が端末デバイス１０により送信された第１アクセス情報を受信することは、端末デバイス２０が複数の端末デバイス１０により送信された複数の第１アクセス情報を受信することを含み、
端末デバイス２０が当該第１アクセス情報に基づいて端末デバイス２０の第２セルにアクセスするための第２アクセス情報を確定することは、
端末デバイス２０が複数の端末デバイス１０のうちの各端末デバイス１０の速度情報又は位置情報に基づいて、複数の端末デバイス１０からターゲット端末デバイスを確定することと、
端末デバイス２０が当該ターゲット端末デバイスの第１アクセス情報に基づいて当該第２アクセス情報を確定することとを含む。
【０１２４】
具体的に、端末デバイス２０は、複数の端末デバイス１０により送信された複数のアクセス情報を受信した後、複数の端末デバイス１０のうちの各端末デバイス１０の速度情報又は位置情報に基づいて、複数の端末デバイス１０から１つのターゲット端末デバイス１０を確定し、当該ターゲット端末デバイスの第１アクセス情報を使用して第２セルにアクセスしてもよい。例えば、複数の端末デバイス１０から端末デバイス２０に一番近い端末デバイス１０の第１アクセス情報を第２アクセス情報とし第２セルにアクセスし、又は、複数の端末デバイス１０から移動速度の一番遅い又は静止する端末デバイス１０の第１アクセス情報を第２アクセス情報とし第２セルにアクセスする。
【０１２５】
他の実施例として、端末デバイス２０が複数の端末デバイス１０のうちの各端末デバイス１０の速度情報又は位置情報に基づいて、複数の端末デバイス１０からターゲット端末デバイスを確定する前に、当該方法は、さらに、
端末デバイス２０は、端末デバイス２０が複数の端末デバイス１０のうちの各端末デバイス１０の条件情報に示す条件を満たしていると確定することを含み、
端末デバイス２０が複数の端末デバイス１０のうちの各端末デバイス１０の速度情報又は位置情報に基づいて、複数の端末デバイス１０からターゲット端末デバイスを確定することは、
端末デバイス２０は、複数の端末デバイス１０のうちの移動速度の一番遅い端末デバイス１０を前記ターゲット端末デバイスとして確定し、又は、複数の端末デバイス１０のうちの端末デバイス２０に一番近い端末デバイス１０をターゲット端末デバイスとして確定することを含む。
【０１２６】
例えば、端末デバイス２０は、自分の第１アクセス情報の受信した位置を端末デバイス１０の当該第１アクセス情報の受信した位置と比べ、上記の条件情報、例えば有効使用距離を参照し、端末デバイス２０が当該条件情報を満たしているかどうかを確定し、又は、端末デバイス２０は、自分の当該第１アクセス情報の受信した時刻を端末デバイス１０の当該第１アクセス情報の受信した時刻と比べ、条件情報内の有効期間を参照し、端末デバイス２０が当該条件情報を満たしているかどうかを確定する。
【０１２７】
端末デバイス２０が複数の端末デバイス１０からの複数の第１アクセス情報を同時に受信し、且つ、端末デバイス２０が各端末デバイス１０の条件情報に示す条件を満たしている。ある端末デバイス１０の端末デバイス２０との距離が一番近い場合、端末デバイス２０は、自分に一番近い当該端末デバイス１０により送信された第１アクセス情報を使用し、又は、ある端末デバイス１０の移動速度が一番遅い場合、端末デバイス２０は、移動速度一番遅い当該端末デバイス１０により送信された第１アクセス情報を使用する。
【０１２８】
選択可能で、２０４の後、当該方法は、さらに、端末デバイス２０は当該第２アクセス情報に基づいて第２セルをアクセスすることを含む。
【０１２９】
端末デバイス２０は、第２セルにアクセスするための第２アクセス情報を確定した後、当該第２アクセス情報に基づいて当該セルにアクセスすることができ、ネットワークデバイス３０から当該第２アクセス情報を取得する必要がないため、システムへの初期アクセスによる遅延を低減させ、端末デバイス２０により送信された信号と他の端末デバイスにより送信された信号とがネットワークデバイス３０に同時に達すことを実現することができる。
【０１３０】
選択可能で、２０４の後、当該方法は、さらに、端末デバイス２０が当該第２アクセス情報を送信することを含む。
【０１３１】
選択可能で、当該第２アクセス情報は、当該第２システム情報及び／又は当該第２ＴＡを含む。
【０１３２】
例えば、端末デバイス２０が当該第２アクセス情報をブロードキャストすることで、他の端末デバイスが、上記方式のように、セルにアクセスするためのアクセス情報を取得することができる。
【０１３３】
なお、端末デバイス２０が当該第２アクセスメッセージを送信する過程は、上記の端末デバイス１０が第１アクセスメッセージを送信する過程を参照してもよく、簡潔にするために、ここで説明を省略する。
【０１３４】
なお、セルが自分のシステム情報を更新し、さらに、端末デバイスの移動によって、そのＴＡ値も変化している。そして、端末デバイスは、一定の時間で更新されたアクセス情報を送信してもよい。
【０１３５】
なお、本発明の各実施例において、上記各過程の番号が実行順番の前後を意味しなく、各過程の実行順番は、その機能及び組み込み論理に決定され、本発明の実施例の実行過程を限定しない。
【０１３６】
以上、図１〜図３を参照し、本発明の実施例におけるＤ２Ｄ通信方法を説明しており、以下、図４〜図１５を参照し、本発明の実施例における端末デバイスを詳しく説明する。なお、本発明の実施例における端末デバイスは、上記の本発明の実施例における各方法を実行することができ、つまり、以下の各デバイスのプロセスは、上記の方法実施例の各プロセスを参照する。
【０１３７】
図４は本発明の実施例における端末デバイス４００を示すブロック図である。図４に示すように、当該端末デバイス４００が第１端末デバイスであり、当該端末デバイス４００は、確定モジュール４０１及び送信モジュール４０２を含む。
【０１３８】
確定モジュール４０１は、第１アクセス情報を確定するように構成され、前記第１アクセス情報は、第１セルにアクセスするためのアクセス情報である。
【０１３９】
送信モジュール４０２は、第２端末デバイスが前記第１アクセス情報を受信した場合に前記第１アクセス情報に基づいて前記第２端末デバイスの第２セルにアクセスするための第２アクセス情報を確定するように、前記確定モジュールにより確定された前記第１アクセス情報を送信するように構成される。
【０１４０】
そして、異なる端末デバイスの間においてＤ２Ｄ通信方式を利用しセルにアクセスするためのアクセス情報を取得して、端末デバイスがネットワークデバイスから当該アクセス情報を取得する時に発生した遅延を低減させることができる。
【０１４１】
選択可能で、前記第１アクセス情報は、前記第１セルにアクセスするための第１システム情報を含み、前記第２アクセス情報は、前記第２端末デバイスが前記第２セルにアクセスするための第２システム情報を含み、及び／又は、
前記第１アクセス情報は、前記第１端末デバイスが前記第１セルにアクセスするための第１タイミングアドバンスＴＡを含み、前記第２アクセス情報は、前記第２端末デバイスが前記第２セルにアクセスするための第２ＴＡを含む。
【０１４２】
選択可能で、送信モジュール４０２は、さらに、条件情報を送信するように構成され、前記条件情報は、前記第２端末デバイスが前記条件情報に示す条件を満たしている場合に前記第１アクセス情報に基づいて前記第２アクセス情報を確定するように指示するために用いられる。
【０１４３】
選択可能で、前記条件情報は、位置条件情報、時間条件情報、速度条件情報、及び前記第１セルのセル識別子の情報のうちの少なくとも１つを含む。
【０１４４】
選択可能で、前記時間条件情報は、前記第１端末デバイスが他のデバイスから前記第１アクセス情報を受信した時刻及び前記第１アクセス情報の有効期間を含む。
【０１４５】
選択可能で、前記第１アクセス情報は第１ＴＡを含み、前記位置条件情報は、前記第１端末デバイスが他のデバイスから前記第１ＴＡを受信した時に前記第１端末デバイスの位置及び前記第１ＴＡの有効使用距離を含む。
【０１４６】
選択可能で、確定モジュール４０１は、具体的に、前記第１端末デバイスの移動速度に基づいて前記第１アクセス情報を確定するように構成される。
【０１４７】
選択可能で、送信モジュール４０２は、具体的に、
前記第１端末デバイスの移動速度が速度閾値の以下である場合、前記第１端末デバイスが第１システム情報、第１ＴＡ及び前記第１端末デバイスの移動速度を送信すること、又は、
前記第１端末デバイスの移動速度が前記速度閾値より大きい場合、前記第１端末デバイスが第１システム情報及び前記第１端末デバイスの移動速度を送信することを含む。
【０１４８】
選択可能で、前記端末デバイスは、さらに、受信モジュール４０３を含み、送信モジュール４０２が前記第１アクセス情報を送信する前に、
受信モジュール４０３は、前記ネットワークデバイスにより指示情報を受信するように構成され、前記指示情報は、前記第１端末デバイスが前記アクセス情報を送信するように指示するために用いられ、
送信モジュール４０２は、具体的に、前記指示情報に基づいて、前記第１アクセス情報を送信するように構成される。
【０１４９】
選択可能で、送信モジュール４０２は、さらに、前記第２端末デバイスが複数の第１アクセス情報を受信した場合に前記複数の第１アクセス情報に基づいて前記第２端末デバイスの前記第２セルにアクセスするための前記第２アクセス情報を確定するように、前記複数の第１アクセス情報を送信するように構成され、前記複数の第１アクセス情報が複数の第１セルに１対１に対応しており、前記複数の第１アクセス情報のうちの各第１アクセス情報は、対応する第１セルにアクセスするために用いられる。
【０１５０】
選択可能で、送信モジュール４０２は、具体的に、前記第１アクセス情報をブロードキャストするように構成される。
【０１５１】
なお、本発明の実施例において、確定モジュール４０１がプロセッサーに実現され、送信モジュール４０２が送信機により実現され、受信モジュール７０３が受信機により実現される。図５に示すように、端末デバイス５００は、プロセッサー５０１、受信機５０２、送信機５０３及びメモリ５０４を含み、受信機５０２及び送信機５０３は、送受信機をいう。ここで、メモリ５０４は、命令やプロセッサー５０１で実行可能かコード等を記憶する。端末デバイス５００内の各コンポーネントは、バスシステム５０５によって接続され、ここで、バスシステム５０５は、データバス、電源バス、制御バス及び状態信号バスを含む。ここで、プロセッサー５０１は、具体的に、
第１アクセス情報を確定するように構成され、前記第１アクセス情報は、第１セルにアクセスするためのアクセス情報であり、
送信機５０３は、第２端末デバイスが前記第１アクセス情報を受信した場合に前記第１アクセス情報に基づいて前記第２端末デバイスの第２セルにアクセスするための第２アクセス情報を確定するように、プロセッサー５０１により確定された前記第１アクセス情報を送信するように構成される。
【０１５２】
そして、異なる端末デバイスの間においてＤ２Ｄ通信方式を利用しセルにアクセスするためのアクセス情報を取得して、端末デバイスがネットワークデバイスから当該アクセス情報を取得する時に発生した遅延を低減させることができる。
【０１５３】
選択可能で、前記第１アクセス情報は、前記第１端末デバイスが前記第１セルにアクセスするための第１システム情報を含み、前記第２アクセス情報は、前記第２端末デバイスが前記第２セルにアクセスするための第２システム情報を含み、及び／又は、
前記第１アクセス情報は、前記第１端末デバイスが前記第１セルにアクセスするための第１タイミングアドバンスＴＡを含み、前記第２アクセス情報は、前記第２端末デバイスが前記第２セルにアクセスするための第２ＴＡを含む。
【０１５４】
選択可能で、送信機５０３は、さらに、条件情報を送信するように構成され、前記条件情報は、前記第２端末デバイスが前記条件情報に示す条件を満たしている場合に前記第１アクセス情報に基づいて前記第２アクセス情報を確定するように指示するために用いられる。
【０１５５】
選択可能で、前記条件情報は、位置条件情報、時間条件情報、速度条件情報、及び前記第１セルのセル識別子の情報のうちの少なくとも１つを含む。
【０１５６】
選択可能で、前記時間条件情報は、前記第１端末デバイスが他のデバイスから前記第１アクセス情報を受信した時刻及び前記第１アクセス情報の有効期間を含む。
【０１５７】
選択可能で、前記第１アクセス情報は第１ＴＡを含み、前記位置条件情報は、前記第１端末デバイスが他のデバイスから前記第１ＴＡを受信した時に前記第１端末デバイスの位置及び前記第１ＴＡの有効使用距離を含む。
【０１５８】
選択可能で、プロセッサー５０１は、具体的に、前記第１端末デバイスの移動速度に基づいて前記第１アクセス情報を確定するように構成される。
【０１５９】
選択可能で、送信機５０３は、具体的に、
前記第１端末デバイスの移動速度が速度閾値の以下である場合、前記第１端末デバイスが第１システム情報、第１ＴＡ及び前記第１端末デバイスの移動速度を送信し、又は、
前記第１端末デバイスの移動速度が前記速度閾値より大きい場合、前記第１端末デバイスが第１システム情報及び前記第１端末デバイスの移動速度を送信するように構成される。
【０１６０】
選択可能で、送信機５０３が前記第１アクセス情報を送信する前に、前記端末デバイスは、さらに、受信機５０２を含み、
受信機５０２は、前記ネットワークデバイスにより指示情報を受信するように構成され、前記指示情報は、前記第１端末デバイスが前記アクセス情報を送信するように指示するために用いられ、
送信機５０３は、具体的に、前記指示情報に基づいて、前記第１アクセス情報を送信するように構成される。
【０１６１】
選択可能で、送信機５０３は、さらに、前記第２端末デバイスが複数の第１アクセス情報を受信した場合に前記複数の第１アクセス情報に基づいて前記第２端末デバイスの前記第２セルにアクセスするための前記第２アクセス情報を確定するように、前記複数の第１アクセス情報を送信するように構成され、前記複数の第１アクセス情報が複数の第１セルに１対１に対応しており、前記複数の第１アクセス情報のうちの各第１アクセス情報は、対応する第１セルにアクセスするために用いられる。
【０１６２】
選択可能で、送信機５０３は、具体的に、前記第１アクセス情報をブロードキャストするように構成される。
【０１６３】
図６は本発明の実施例におけるシステムチップの構成を示す図である。図６のシステムチップ６００は、入力インターフェース６０１、出力インタフェース６０２、少なくとも１つのプロセッサー６０３、メモリ６０４を含み、前記入力インターフェース６０１、出力インタフェース６０２、前記プロセッサー６０３及びメモリ６０４がバス６０５により接続され、前記プロセッサー６０３は前記メモリ６０４内のコードを実行し、前記コードを実行する場合、前記プロセッサー６０３は、図２又は図３の第１端末デバイスにより実行する方法を実現する。
【０１６４】
図７は本発明の実施例における端末デバイス７００のブロック図である。図７に示すように、当該端末デバイス７００が第２端末デバイスであり、当該端末デバイス７００は、受信モジュール７０１及び確定モジュール７０２を含む。
【０１６５】
受信モジュール７０１は、第１端末デバイスにより送信された第１アクセス情報を受信するように構成され、前記第１アクセス情報は、第１セルにアクセスするためのアクセス情報であり、
確定モジュール７０２は、前記受信モジュールにより確定された前記第１アクセス情報に基づいて、前記第２端末デバイスの第２セルにアクセスするための第２アクセス情報を確定するように構成される。
【０１６６】
そして、異なる端末デバイスの間においてＤ２Ｄ通信方式を利用しセルにアクセスするためのアクセス情報を取得して、端末デバイスがネットワークデバイスから当該アクセス情報を取得する時に発生した遅延を低減させることができる。
【０１６７】
選択可能で、前記第１アクセス情報は、前記第１セルにアクセスするための第１システム情報を含み、前記第２アクセス情報は、前記第２端末デバイスが前記第２セルにアクセスするための第２システム情報を含み、及び／又は、
前記第１アクセス情報は、前記第１端末デバイスが前記第１セルにアクセスするための第１タイミングアドバンスＴＡを含み、前記第２アクセス情報は、前記第２端末デバイスが前記第２セルにアクセスするための第２ＴＡを含む。
【０１６８】
選択可能で、確定モジュール７０２が前記第１アクセス情報に基づいて前記第２セルにアクセスするための第２アクセス情報を確定する前に、受信モジュール７０１は、さらに、条件情報を受信するように構成され、
確定モジュール７０２は、具体的に、前記第２端末デバイスが前記条件情報に示す条件を満たしている場合、前記第１アクセス情報に基づいて前記第２アクセス情報を確定するように構成される。
【０１６９】
選択可能で、前記条件情報は、
位置条件情報、時間条件情報、速度条件情報、及び前記第１セルのセル識別子の情報のうちの少なくとも１つを含む。
【０１７０】
選択可能で、前記時間条件情報は、前記第１端末デバイスが他のデバイスから前記第１アクセス情報を受信した時刻及び前記第１アクセス情報の有効期間を含む。
【０１７１】
選択可能で、前記第１アクセス情報は第１ＴＡを含み、前記位置条件情報は、前記第１端末デバイスが他のデバイスから前記第１ＴＡを受信した時に前記第１端末デバイスの位置及び前記第１ＴＡの有効使用距離を含む。
【０１７２】
選択可能で、前記条件情報は前記第１セルのセル識別子の情報を含み、
確定モジュール７０２は、具体的に、前記第２端末デバイスがアクセスする前記第２セルの識別子が前記第１セルのセル識別子と同じである場合、前記第１アクセス情報に基づいて前記第２セルにアクセスするための前記第２アクセス情報を確定するように構成される。
【０１７３】
選択可能で、前記第１アクセス情報は第１ＴＡを含み、前記速度条件情報は、前記第１端末デバイスの移動速度及び速度閾値を含み、確定モジュール７０２は、具体的に、前記第１端末デバイスの移動速度が前記速度閾値の以下である場合、前記第１ＴＡに基づいて前記第２セルにアクセスするための第２ＴＡを確定するように構成される。
【０１７４】
選択可能で、受信モジュール７０２は、具体的に、前記第１端末デバイスにより送信された前記条件情報を受信し、又はネットワークデバイスにより送信された前記条件情報を受信するように構成される。
【０１７５】
選択可能で、受信モジュール７０１は、具体的に、複数の第１端末デバイスによりそれぞれ送信された第１アクセス情報を受信するように構成され、
確定モジュール７０２は、具体的に、前記複数の第１端末デバイスのうちの各第１端末デバイスの速度情報又は位置情報に基づいて、前記複数の第１端末デバイスからターゲット端末デバイスを確定し、前記ターゲット端末デバイスの第１アクセス情報に基づいて前記第２アクセス情報を確定するように構成される。
【０１７６】
選択可能で、確定モジュール７０２が前記複数の第１端末デバイスのうちの各第１端末デバイスの速度情報又は位置情報に基づいて前記複数の第１端末デバイスからターゲット端末デバイスを確定する前に、確定モジュール７０２は、具体的に、
前記第２端末デバイスが前記複数の第１端末デバイスのうちの各第１端末デバイスの条件情報に示す条件を満たしていることを確定し、
前記複数の第１端末デバイスのうちの移動速度の一番遅い第１端末デバイスを前記ターゲット端末デバイスとして確定し、又は、前記複数の第１端末デバイスのうちの前記第２端末デバイスに一番近い第１端末デバイスを前記ターゲット端末デバイスとして確定するように構成される。
【０１７７】
選択可能で、受信モジュール７０１は、さらに、第１端末デバイスにより送信された複数の第１アクセス情報を受信するように構成され、
確定モジュール７０２は、具体的に、前記複数の第１アクセス情報に基づいて、前記第２端末デバイスが前記第２セルにアクセスするための前記第２アクセス情報を確定するように構成される。
【０１７８】
選択可能で、端末デバイス７００は、さらに、送信モジュール７０３を含み、前記送信モジュール７０３は、前記第２アクセス情報を送信するように構成される。
【０１７９】
選択可能で、送信モジュール７０３は、具体的に、前記第２アクセス情報をブロードキャストするように構成される。
【０１８０】
なお、本発明の実施例において、確定モジュール７０２がプロセッサーにより実現され、受信モジュール７０１が受信機により実現され、送信モジュール７０３が送信機により実現される。図８に示すように、端末デバイス８００は、プロセッサー８０１、受信機８０２、送信機８０３及びメモリ８０４を含み、受信機８０２と送信機８０３を送受信機という。ここで、メモリ８０４は命令やプロセッサー８０１で実行可能なコード等を記憶する。端末デバイス８００内の各コンポーネントがバスシステム８０８により接続され、ここで、バスシステム８０８は、データバス、電源バス、制御バス及び状態信号バスを含む。ここで、受信機８０２は、具体的に、
第１端末デバイスにより送信された第１アクセス情報を受信するように構成され、前記第１アクセス情報は、第１セルにアクセスするためのアクセス情報であり、
プロセッサー８０１は、受信機８０２により確定された前記第１アクセス情報に基づいて前記第２端末デバイス第２セルにアクセスするための第２アクセス情報を確定するように構成される。
【０１８１】
そして、異なる端末デバイスの間においてＤ２Ｄ通信方式を利用しセルにアクセスするためのアクセス情報を取得して、端末デバイスがネットワークデバイスから当該アクセス情報を取得する時に発生した遅延を低減させることができる。
【０１８２】
選択可能で、前記第１アクセス情報は、前記第１セルにアクセスするための第１システム情報を含み、前記第２アクセス情報は、前記第２端末デバイスが前記第２セルにアクセスするための第２システム情報を含み、及び／又は、
前記第１アクセス情報は、前記第１セルにアクセスするための第１タイミングアドバンスＴＡを含み、前記第２アクセス情報は、前記第２端末デバイスが前記第２セルにアクセスするための第２ＴＡを含む。
【０１８３】
選択可能で、プロセッサー８０１が前記第１アクセス情報に基づいて前記第２セルにアクセスするための第２アクセス情報を確定する前に、受信機８０２は、さらに、条件情報を受信するように構成され、
プロセッサー８０１は、具体的に、前記第２端末デバイスが前記条件情報に示す条件を満たしている場合、前記第１アクセス情報に基づいて前記第２アクセス情報を確定するように構成される。
【０１８４】
選択可能で、前記条件情報は、位置条件情報、時間条件情報、速度条件情報、及び前記第１セルのセル識別子の情報のうちの少なくとも１つを含む。
【０１８５】
選択可能で、前記時間条件情報は、前記第１端末デバイスが他のデバイスから前記第１アクセス情報を受信した時刻及び前記第１アクセス情報の有効期間を含む。
【０１８６】
選択可能で、前記第１アクセス情報は第１ＴＡを含み、前記位置条件情報は、前記第１端末デバイスが他のデバイスから前記第１ＴＡを受信した時に前記第１端末デバイスの位置及び前記第１ＴＡの有効使用距離を含む。
【０１８７】
選択可能で、前記条件情報は前記第１セルのセル識別子の情報を含み、
プロセッサー８０１は、具体的に、前記第２端末デバイスがアクセスする前記第２セルの識別子が前記第１セルのセル識別子と同じである場合、前記第１アクセス情報に基づいて前記第２セルにアクセスするための前記第２アクセス情報を確定するように構成される。
【０１８８】
選択可能で、前記第１アクセス情報は第１ＴＡを含み、前記速度条件情報は、前記第１端末デバイスの移動速度及び速度閾値を含み、
プロセッサー８０１は、具体的に、前記第１端末デバイスの移動速度が前記速度閾値の以下である場合、前記第１ＴＡに基づいて前記第２セルにアクセスするための第２ＴＡを確定するように構成される。
【０１８９】
選択可能で、受信機８０２は、具体的に、前記第１端末デバイスにより送信された前記条件情報を受信し、又はネットワークデバイスにより送信された前記条件情報を受信するように構成される。
【０１９０】
選択可能で、受信機８０２は、具体的に、複数の第１端末デバイスによりそれぞれ送信された第１アクセス情報を受信するように構成され、
プロセッサー８０１は、具体的に、前記複数の第１端末デバイスのうちの各第１端末デバイスの速度情報又は位置情報に基づいて、前記複数の第１端末デバイスからターゲット端末デバイスを確定し、前記ターゲット端末デバイスの第１アクセス情報に基づいて前記第２アクセス情報を確定するように構成される。
【０１９１】
選択可能で、プロセッサー８０１が前記複数の第１端末デバイスのうちの各第１端末デバイスの速度情報又は位置情報に基づいて前記複数の第１端末デバイスからターゲット端末デバイスを確定する前に、プロセッサー８０１は、具体的に、
前記第２端末デバイスが前記複数の第１端末デバイスのうちの各第１端末デバイスの条件情報に示す条件を満たしていることを確定し、
前記複数の第１端末デバイスのうちの移動速度の一番遅い第１端末デバイスを前記ターゲット端末デバイスとして確定し、又は、前記複数の第１端末デバイスのうちの前記第２端末デバイスに一番近い第１端末デバイスを前記ターゲット端末デバイスとして確定するように構成される。
【０１９２】
選択可能で、受信機８０２は、さらに、第１端末デバイスにより送信された複数の第１アクセス情報を受信するように構成され、
プロセッサー８０１は、具体的に、前記複数の第１アクセス情報に基づいて、前記第２端末デバイスが前記第２セルにアクセスするための前記第２アクセス情報を確定するように構成される。
【０１９３】
選択可能で、端末デバイス８００は、さらに、送信機８０３を含み、前記送信機８０３は、前記第２アクセス情報を送信するように構成される。
【０１９４】
選択可能で、送信機８０３は、具体的に、前記第２アクセス情報をブロードキャストするように構成される。
【０１９５】
図９は本発明の実施例におけるシステムチップの構成図である。図９のシステムチップ９００は、入力インターフェース９０１、出力インタフェース９０２、少なくとも１つのプロセッサー９０３、メモリ９０４を含み、前記入力インターフェース９０１、出力インタフェース９０２、前記プロセッサー９０３及びメモリ９０４がバス９０５により接続され、前記プロセッサー９０３が前記メモリ９０４内のコードを実行し、前記コードを実行する場合、前記プロセッサー９０３は、図２又は図３の第２端末デバイスにより実行される方法を実現する。
【０１９６】
注意すべきこととして、本発明の上記方法の実施例はプロセッサに適用されてもよく、又はプロセッサによって実現されてもよい。プロセッサは集積回路チップである可能性があり、信号処理能力を備えている。実現過程において、上記方法の実施例における各ステップは、プロセッサにおけるハードウェアの集積論理回路、又はソフトウェア形態の命令により完成されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであっても良い。本発明の実施例における開示された各方法、ステップ及び論理ブロック図を実現、又は実行することができる。汎用プロセッサはマイクロプロセッサであっても良く、又は該プロセッサはいずれかの通常のプロセッサなどであっても良い。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。
【０１９７】
本発明の実施例におけるメモリは揮発性記憶装置又は不揮発性記憶装置であっても良く、又は揮発性記憶装置及び不揮発性記憶装置の両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであっても良い。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であっても良い。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ）である。注意すべきこととして、本明細書に記載のシステムと方法のメモリは、これら、及びいずれかの他の適切なタイプのメモリを含むことを主旨しているが、これらに限定されない。
【０１９８】
また、本明細書に記載される「システム」及び「ネットワーク」という単語は交換可能に使用される。本明細書に記載される「及び／又は」、関連対象の関連関係を説明するものだけであり、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【０１９９】
なお、本発明の実施例において、「Ａに対応するＢ」は、ＢがＡに関連し、ＡによってＢを確定することを示す。ただし、ＡによってＢを確定することは、ＡのみによってＢを確定することを意味しなく、Ａ及び／又は他の情報によってＢを確定してもよい。
【０２００】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０２０１】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０２０２】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０２０３】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０２０４】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０２０５】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019528026.tif 000003
【図２】
2019528026.tif 000004
【図３】
2019528026.tif 000005
【図４】
2019528026.tif 000006
【図５】
2019528026.tif 000007
【図６】
2019528026.tif 000008
【図７】
2019528026.tif 000009
【図８】
2019528026.tif 000010
【図９】
2019528026.tif 000011
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
デバイスツーデバイスＤ２Ｄ通信方法であって、
第１端末デバイスが第１セルにアクセスするためのアクセス情報である第１アクセス情報を確定することと、
第２端末デバイスが前記第１アクセス情報を受信した場合に前記第１アクセス情報に基づいて前記第２端末デバイスの第２セルにアクセスするための第２アクセス情報を確定するように、前記第１端末デバイスが前記第１アクセス情報を送信することとを含む
ことを特徴とするデバイスツーデバイスＤ２Ｄ通信方法。
【請求項２】
前記第１アクセス情報は、前記第１セルにアクセスするための第１システム情報を含み、前記第２アクセス情報は、前記第２端末デバイスが前記第２セルにアクセスするための第２システム情報を含み、及び／又は、
前記第１アクセス情報は、前記第１端末デバイスが前記第１セルにアクセスするための第１タイミングアドバンスＴＡを含み、前記第２アクセス情報は、前記第２端末デバイスが前記第２セルにアクセスするための第２ＴＡを含む
ことを特徴とする請求項１に記載のデバイスツーデバイスＤ２Ｄ通信方法。
【請求項３】
前記第１端末デバイスが条件情報を送信することを含み、
前記条件情報は、前記第２端末デバイスが前記条件情報に示す条件を満たしている場合に前記第１アクセス情報に基づいて前記第２アクセス情報を確定するように指示するために用いられる
ことを特徴とする請求項１又は２に記載のデバイスツーデバイスＤ２Ｄ通信方法。
【請求項４】
前記条件情報は、位置条件情報、時間条件情報、速度条件情報、及び前記第１セルのセル識別子の情報のうちの少なくとも１つを含む
ことを特徴とする請求項３に記載のデバイスツーデバイスＤ２Ｄ通信方法。
【請求項５】
前記第１アクセス情報は、第１ＴＡを含み、前記位置条件情報は、前記第１端末デバイスが他のデバイスから前記第１ＴＡを受信した時に前記第１端末デバイスの位置及び前記第１ＴＡの有効使用距離を含む
ことを特徴とする請求項４に記載のデバイスツーデバイスＤ２Ｄ通信方法。
【請求項６】
第１端末デバイスが第１アクセス情報を確定することは、
前記第１端末デバイスは、前記第１端末デバイスの移動速度に基づいて前記第１アクセス情報を確定することを含む
ことを特徴とする請求項４又は５に記載のデバイスツーデバイスＤ２Ｄ通信方法。
【請求項７】
デバイスツーデバイスＤ２Ｄ通信方法であって、
第２端末デバイスが第１端末デバイスにより送信された第１アクセス情報を受信することと、
前記第２端末デバイスが、前記第１アクセス情報に基づいて前記第２端末デバイスの第２セルにアクセスするための第２アクセス情報を確定することとを含み、
前記第１アクセス情報は、第１セルにアクセスするためのアクセス情報である
ことを特徴とするデバイスツーデバイスＤ２Ｄ通信方法。
【請求項８】
前記第１アクセス情報は、前記第１セルにアクセスするための第１システム情報を含み、前記第２アクセス情報は、前記第２端末デバイスが前記第２セルにアクセスするための第２システム情報を含み、及び／又は、
前記第１アクセス情報は、前記第１端末デバイスが前記第１セルにアクセスするための第１タイミングアドバンスＴＡを含み、前記第２アクセス情報は、前記第２端末デバイスが前記第２セルにアクセスするための第２ＴＡを含む
ことを特徴とする請求項７に記載のデバイスツーデバイスＤ２Ｄ通信方法。
【請求項９】
前記第２端末デバイスが前記第１アクセス情報に基づいて前記第２セルにアクセスするための第２アクセス情報を確定する前に、前記方法は、さらに、
前記第２端末デバイスが条件情報を受信することを含み、
前記第２端末デバイスが、前記第１アクセス情報に基づいて前記第２端末デバイスの第２セルにアクセスするための第２アクセス情報を確定することは、
前記第２端末デバイスは、前記条件情報に示す条件を満たしている場合、前記第１アクセス情報に基づいて前記第２アクセス情報を確定することを含む
ことを特徴とする請求項７又は８に記載のデバイスツーデバイスＤ２Ｄ通信方法。
【請求項１０】
前記条件情報は、位置条件情報、時間条件情報、速度条件情報、及び前記第１セルのセル識別子の情報のうちの少なくとも１つを含む
ことを特徴とする請求項９に記載のデバイスツーデバイスＤ２Ｄ通信方法。
【請求項１１】
前記第１アクセス情報は第１ＴＡを含み、前記位置条件情報は、前記第１端末デバイスが他のデバイスから前記第１ＴＡを受信した時に前記第１端末デバイスの位置及び前記第１ＴＡの有効使用距離を含む
ことを特徴とする請求項１０に記載のデバイスツーデバイスＤ２Ｄ通信方法。
【請求項１２】
前記条件情報は前記第１セルのセル識別子の情報を含み、
前記第２端末デバイスが、前記第１アクセス情報に基づいて前記第２端末デバイスの第２セルにアクセスするための第２アクセス情報を確定することは、
前記第２端末デバイスのアクセスする前記第２セルのセル識別子が前記第１セルのセル識別子と同じである場合、前記第２端末デバイスが前記第１アクセス情報に基づいて前記第２セルにアクセスするための前記第２アクセス情報を確定することを含む
ことを特徴とする請求項１０又は１１に記載のデバイスツーデバイスＤ２Ｄ通信方法。
【請求項１３】
前記第１アクセス情報は第１ＴＡを含み、前記速度条件情報は、前記第１端末デバイスの移動速度及び速度閾値を含み、
前記第２端末デバイスが、前記第１アクセス情報に基づいて前記第２端末デバイスの第２セルにアクセスするための第２アクセス情報を確定することは、
前記第１端末デバイスの移動速度が前記速度閾値の以下である場合、前記第２端末デバイスが前記第１ＴＡに基づいて前記第２セルにアクセスするための第２ＴＡを確定することを含む
ことを特徴とする請求項１０〜１２のいずれか１項に記載のデバイスツーデバイスＤ２Ｄ通信方法。
【請求項１４】
端末デバイスであって、
前記端末デバイスは、第１端末デバイスであり、確定モジュール及び送信モジュールを含み、
前記確定モジュールは、第１アクセス情報を確定するように構成され、
前記送信モジュールは、第２端末デバイスが前記第１アクセス情報を受信した場合に前記第１アクセス情報に基づいて前記第２端末デバイスの第２セルにアクセスするための第２アクセス情報を確定するように、前記確定モジュールにより確定された前記第１アクセス情報を送信するように構成され、
前記第１アクセス情報は、第１セルにアクセスするためのアクセス情報である
ことを特徴とする端末デバイス。
【請求項１５】
端末デバイスであって、
前記端末デバイスは、第２端末デバイスであり、受信モジュール及び確定モジュールを含み、
前記受信モジュールは、第１端末デバイスにより送信された第１アクセス情報を受信するように構成され、
前記確定モジュールは、前記受信モジュールにより確定された前記第１アクセス情報に基づいて、前記第２端末デバイスの第２セルにアクセスするための第２アクセス情報を確定するように構成され、
前記第１アクセス情報は、第１セルにアクセスするためのアクセス情報である
ことを特徴とする端末デバイス。
【国際調査報告】
2019528026.tif 000012
2019528026.tif 000013
2019528026.tif 000014
2019528026.tif 000015